(57)【要約】  【課題】  撮影処理と並行して，粗編集をして，本編集に必要な映像シーンを直接確認することにより，本編集までに至る処理の作業効率を高めることが可能な映像コンテンツ編集支援システムを提供する。  【解決手段】  撮像装置と，撮像装置から伝送される映像コンテンツデータを表示する編集者端末装置と，撮像装置および編集者端末装置を相互に接続するネットワークとから成る映像コンテンツ編集支援システムが提供される。この映像コンテンツ編集支援システムは，映像コンテンツデータに関連する電子マークデータを映像コンテンツデータに記述する記録部と，電子マークデータに基づいて，映像コンテンツデータの見出し情報を含む電子マークリストデータを作成する電子マークリスト作成部と，電子マークリストデータに基づいて映像コンテンツデータを編集する編集部とを備えている。【選択図】  図１
2006074800.tif 000002
【特許請求の範囲】
【請求項１】
撮像した映像コンテンツデータを記録媒体に記録する撮像装置と，前記撮像装置から伝送される前記映像コンテンツデータを表示する編集者端末装置と，前記撮像装置および前記編集者端末装置を相互に接続するネットワークとから成る映像コンテンツ編集支援システムにおいて：
前記映像コンテンツデータに関連する電子マークデータを前記映像コンテンツデータに記述する記録部と，
前記電子マークデータに基づいて，前記映像コンテンツデータの見出し情報を含む電子マークリストデータを作成する電子マークリスト作成部と，
前記電子マークリストデータに基づいて前記映像コンテンツデータを編集する編集部とを備えていることを特徴とする，映像コンテンツ編集支援システム。
【請求項２】
前記記録部は，前記映像コンテンツデータと，前記電子マークデータとを，ほぼ実時間に記述することを特徴とする，請求項１に記載の映像コンテンツ編集支援システム。
【請求項３】
前記映像コンテンツデータの見出し情報は，前記映像コンテンツデータに含まれる映像シーンの見出し情報であることを特徴とする，請求項１に記載の映像コンテンツ編集支援システム。
【請求項４】
前記電子マークデータは，少なくとも前記映像コンテンツデータの属性情報である属性マークデータと，前記映像コンテンツデータの映像の特徴が記述された電子マークテキストデータとを含むことを特徴とする，請求項１に記載の映像コンテンツ編集支援システム。
【請求項５】
前記属性マークデータは，少なくとも前記映像コンテンツデータの映像シーンを識別するシーン識別子を含むことを特徴とする，請求項１に記載の映像コンテンツ編集支援システム。
【請求項６】
前記電子マークテキストデータは，前記映像コンテンツデータに含まれる前記映像シーンの特徴，撮影場所，もしくは撮影日時のうち少なくともいずれか一つまたは任意の組合わせをテキストデータにより記述されることを特徴とする，請求項１に記載の映像コンテンツ編集支援システム。
【請求項７】
前記記録部は，前記電子マークデータを前記記録媒体におけるヘリカルトラックに記録することを特徴とする，請求項１に記載の映像コンテンツ編集支援システム。
【請求項８】
前記編集部は，前記電子マークリストデータおよび前記映像コンテンツデータに基づいて，編集情報データを作成することを特徴とする，請求項１に記載の映像コンテンツ編集支援システム。
【請求項９】
前記電子マークデータは，入力される音声に基づいて生成されることを特徴とする，請求項１に記載の映像コンテンツ編集支援システム。
【請求項１０】
映像コンテンツデータを表示する編集者端末装置とネットワークを介して接続される撮像した映像コンテンツデータを記録媒体に記録する撮像装置であって：
前記撮像装置は，前記映像コンテンツデータに関連する電子マークデータを前記映像コンテンツデータに記述する記録部を備えることを特徴とする，撮像装置。
【請求項１１】
前記記録部は，前記映像コンテンツデータと，前記電子マークデータとを，ほぼ実時間に記述することを特徴とする，請求項１０に記載の撮像装置。
【請求項１２】
前記映像コンテンツデータの見出し情報は，前記映像コンテンツデータに含まれる映像シーンの見出し情報であることを特徴とする，請求項１０に記載の撮像装置。
【請求項１３】
前記電子マークデータは，少なくとも前記映像コンテンツデータの属性情報である属性マークデータと，前記映像コンテンツデータの映像の特徴が記述された電子マークテキストデータとを含むことを特徴とする，請求項１０に記載の撮像装置。
【請求項１４】
前記属性マークデータは，少なくとも前記映像コンテンツデータの映像シーンを識別するシーン識別子を含むことを特徴とする，請求項１０に記載の撮像装置。
【請求項１５】
前記電子マークテキストデータは，前記映像コンテンツデータに含まれる前記映像シーンの特徴，撮影場所，もしくは撮影日時のうち少なくともいずれか一つまたは任意の組合わせをテキストデータにより記述されることを特徴とする，請求項１０に記載の撮像装置。
【請求項１６】
前記記録部は，前記電子マークデータを前記記録媒体におけるヘリカルトラックに記録することを特徴とする，請求項１０に記載の撮像装置。
【請求項１７】
前記電子マークデータは，入力される音声に基づいて生成されることを特徴とする，請求項１０に記載の撮像装置。
【請求項１８】
映像コンテンツデータを表示する編集者端末装置とネットワークを介して接続される撮像装置により撮像した映像コンテンツデータが記録される記録媒体であって：
前記記録媒体は，前記映像コンテンツデータに関連する電子マークデータが，ヘリカルトラックに記録されることを特徴とする，記録媒体。
【請求項１９】
撮像した映像コンテンツデータを記録媒体に記録する撮像装置とネットワークを介して接続される前記映像コンテンツデータを表示する編集者端末装置であって：
前記編集者端末装置は，前記映像コンテンツデータに関連する電子マークデータに基づいて，前記映像コンテンツデータの見出し情報を含む電子マークリストデータを作成する電子マークリスト作成部と，
前記電子マークリストデータに基づいて前記映像コンテンツデータを編集する編集部とを備えていることを特徴とする，編集者端末装置。
【請求項２０】
前記映像コンテンツデータの見出し情報は，前記映像コンテンツデータに含まれる映像シーンの見出し情報であることを特徴とする，請求項１９に記載の編集者端末装置。
【請求項２１】
前記電子マークデータは，少なくとも前記映像コンテンツデータの属性情報である属性マークデータと，前記映像コンテンツデータの映像の特徴が記述された電子マークテキストデータとを含むことを特徴とする，請求項１９に記載の編集者端末装置。
【請求項２２】
前記属性マークデータは，少なくとも前記映像コンテンツデータの映像シーンを識別するシーン識別子を含むことを特徴とする，請求項１９に記載の編集者端末装置。
【請求項２３】
前記電子マークテキストデータは，前記映像コンテンツデータに含まれる前記映像シーンの特徴，撮影場所，もしくは撮影日時のうち少なくともいずれか一つまたは任意の組合わせをテキストデータにより記述されることを特徴とする，請求項１９に記載の編集者端末装置。
【請求項２４】
前記編集部は，前記電子マークリストデータおよび前記映像コンテンツデータに基づいて，編集情報データを作成することを特徴とする，請求項１９に記載の編集者端末装置。
【請求項２５】
前記電子マークデータは，入力される音声に基づいて生成されることを特徴とする，請求項１９に記載の編集者端末装置。
【請求項２６】
コンピュータをして請求項１９〜２５に記載の編集者端末装置として機能させることを特徴とする，コンピュータプログラム。
【請求項２７】
請求項２６に記載のコンピュータプログラムが記憶されたコンピュータ読み取り可能な記録媒体。
【請求項２８】
撮像した映像コンテンツデータを記録媒体に記録する撮像装置とネットワークを介して接続される前記撮像装置から伝送される前記映像コンテンツデータを表示する編集者端末装置とから成る映像コンテンツ編集支援方法であって：
前記映像コンテンツデータに関連する電子マークデータを前記映像コンテンツデータに記述し；
前記電子マークデータに基づいて，前記映像コンテンツデータの見出し情報を含む電子マークリストデータを作成し；
前記電子マークリストデータに基づいて前記映像コンテンツデータを編集することを特徴とする，映像コンテンツ編集支援方法。
【請求項２９】
前記記録部は，前記映像コンテンツデータと，前記電子マークデータとを，ほぼ実時間に記述することを特徴とする，請求項２８に記載の映像コンテンツ編集支援方法。
【請求項３０】
前記映像コンテンツデータの見出し情報は，前記映像コンテンツデータに構成される映像シーンの見出し情報であることを特徴とする，請求項２８に記載の映像コンテンツ編集支援方法。
【請求項３１】
前記電子マークデータは，少なくとも前記映像コンテンツデータの属性情報である属性マークデータと，前記映像コンテンツデータの映像の特徴が記述された電子マークテキストデータとを含むことを特徴とする，請求項２８に記載の映像コンテンツ編集支援方法。
【請求項３２】
前記属性マークデータは，少なくとも前記映像コンテンツデータの映像シーンを識別するシーン識別子を含むことを特徴とする，請求項２８に記載の映像コンテンツ編集支援方法。
【請求項３３】
前記電子マークテキストデータは，前記映像コンテンツデータに含まれる前記映像シーンの特徴，撮影場所，もしくは撮影日時のうち少なくともいずれか一つまたは任意の組合わせをテキストデータにより記述されることを特徴とする，請求項２８に記載の映像コンテンツ編集支援方法。
【請求項３４】
前記電子マークデータは，前記記録媒体におけるヘリカルトラックに記録されることを特徴とする，請求項２８に記載の映像コンテンツ編集支援方法。
【請求項３５】
前記電子マークリストデータおよび前記映像コンテンツデータに基づいて，編集情報データが作成されることを特徴とする，請求項２８に記載の映像コンテンツ編集支援方法。
【請求項３６】
前記電子マークデータは，入力される音声に基づいて生成されることを特徴とする，請求項２８に記載の映像コンテンツ編集支援方法。
【発明の詳細な説明】
【技術分野】
【０００１】
本発明は，映像コンテンツを編集する編集システムにかかり，特に映像コンテンツ編集支援システム，撮像装置，編集者端末装置，コンピュータプログラム，記憶媒体，映像コンテンツ編集支援方法，に関する。
【背景技術】
【０００２】
ＴＶ（Ｔｅｌｅｖｉｓｉｏｎ）のニュース番組などは，取材先の現場で撮影された取材内容などコンテンツ素材である映像コンテンツデータを編集して放映している。上記映像コンテンツの編集において，粗編集と本編集などの編集処理がある。本編集は，場面ごとに粗編集された映像コンテンツデータから，完成作品である最終映像コンテンツデータ（完全パッケージ）を制作することである。
【０００３】
粗編集は，撮影直後の素材データである映像コンテンツデータに構成される場面ごとの映像シーンの中から，最終工程である本編集で必要となる映像シーンを，編集者が選択して，選択された映像シーンの使用部分の抽出を行うために，編集開始位置（Ｉｎ点）および編集終了位置（Ｏｕｔ点）からなる時間的位置（タイムコード）を紙媒体などに記録して，必要な映像シーンを抽出する本編集前の編集作業（粗編集）である。
【発明の開示】
【発明が解決しようとする課題】
【０００４】
しかしながら，撮影された映像コンテンツデータを粗編集する作業は，撮影処理の終了後，まず映像コンテンツデータには，どのような映像シーンが記録されているのか，必要な場面がどこに存在するのか即座に分かりにくいため，磁気テープなどの記録媒体に記録された映像コンテンツデータを記録再生装置（ＶＴＲ：Ｖｉｄｅｏ  Ｔａｐｅ  Ｒｅｃｏｒｄｅｒ）により映像コンテンツデータの最初から再生／巻き戻し処理などを繰返し行うことにより，編集者等により映像シーンが選択される。
【０００５】
さらに，選択された映像シーンの使用部分は，編集開始位置（Ｉｎ点）および編集終了位置（Ｏｕｔ点）のタイムコードにより決定される。また，タイムコードは，紙媒体などに記録されて，タイムコードの一覧表であるタイムコードリストが作成される。
【０００６】
したがって，映像コンテンツデータに構成される映像シーンについて，再生・巻き戻し処理などを繰返し行う必要があることから，上記映像シーンの選択（Ｌｏｇｇｉｎｇ）および選択された映像シーンの中から使用する個所を抽出する（Ｉｎｇｅｓｔｉｎｇ）作業（粗編集）の効率が上がらないという問題点があった。
【０００７】
本発明は，上記問題点に鑑みてなされたものであり，本発明の目的は，予め記述した映像シーンに関連するインデックスを検索することにより，必要な映像シーンの選択および抽出を行い，映像コンテンツデータの粗編集をすることが可能な，新規かつ改良された映像コンテンツ編集支援システムを提供することである。
【課題を解決するための手段】
【０００８】
上記課題を解決するため，本発明の第１の観点によれば，撮像した映像コンテンツデータを記録媒体に記録する撮像装置と，撮像装置から伝送される映像コンテンツデータを表示する編集者端末装置と，撮像装置および編集者端末装置を相互に接続するネットワークとから成る映像コンテンツ編集支援システムが提供される。この映像コンテンツ編集支援システムは，映像コンテンツデータに関連する電子マークデータを映像コンテンツデータに記述する記録部と，電子マークデータに基づいて，映像コンテンツデータの見出し情報を含む電子マークリストデータを作成する電子マークリスト作成部と，電子マークリストデータに基づいて映像コンテンツデータを編集する編集部とを備えている。
【０００９】
本発明によれば，映像コンテンツ編集支援システムは，映像コンテンツデータに関連して，映像コンテンツデータの特徴が設定された電子マークデータを映像コンテンツデータに記述して，少なくとも映像コンテンツデータの特徴が記述された見出し情報を含む電子マークリストデータを作成する。かかる構成により，電子マークリストデータに構成される映像コンテンツデータの特徴が記述された見出し情報に基づいて，必要な映像コンテンツデータ選択して，直接映像コンテンツデータを編集することが可能であり，編集すべき映像コンテンツデータの情報が電子マークリストデータに常に集約される。
【００１０】
なお，映像コンテンツデータに関連する電子マークデータを映像コンテンツデータに記述する記録部は，上記撮像装置または上記編集者端末装置のどちらに備わってもよい。
【００１１】
また電子マークデータに基づいて，映像コンテンツデータの見出し情報を含む電子マークリストデータを作成する電子マークリスト作成部は，上記撮像装置または上記編集者端末装置のどちらに備わってもよい。
【００１２】
さらに，電子マークリストデータに基づいて映像コンテンツデータを編集する編集部も，上記撮像装置または上記編集者端末装置のどちらに備わってもよい。
【００１３】
記録部は，実時間に撮影される映像コンテンツデータに対して，電子マークデータを記述するように構成することができる。かかる構成によれば，リアルタイムに撮影される映像コンテンツデータに電子マークデータを記述することで，編集に必要な映像コンテンツデータの見出し情報を含む電子マークリストデータが作成されて，撮影処理と並行して，映像コンテンツデータを編集することが可能となる。
【００１４】
映像コンテンツデータの見出し情報は，映像コンテンツデータに構成される映像シーンの見出し情報であるように構成することが可能となる。かかる構成によれば，映像コンテンツデータに構成される一または二以上の映像シーンに対して見出し情報を記述することが可能となり，映像シーンごとに詳細に特徴が記述される。
【００１５】
電子マークデータは，少なくとも映像コンテンツデータの撮影の属性情報である属性マークデータと，映像コンテンツデータの映像の特徴が記述された電子マークテキストデータとを含むように構成することができる。かかる構成により，お互いにリンクされた属性マークデータおよび電子マークテキストデータから構成されるのが，電子マークデータであり，電子マークデータのうち，映像コンテンツデータに属性マークデータが記述されることにより，電子マークテキストデータを別の記録媒体に格納することにより電子マークデータの情報の分散化を図れる。
【００１６】
属性マークデータは，少なくとも映像コンテンツデータの映像シーンを識別するシーン識別子を含むように構成することができる。かかる構成により，電子マークデータにリンクする属性マークデータは，映像コンテンツデータに構成される一または二以上からなる映像シーンを識別することが可能となり，映像シーンごとに関連付けられた電子マークデータにリンクする電子マークテキストデータを別の記憶媒体などへ情報の分散化を図れる。
【００１７】
電子マークテキストデータは，少なくとも映像コンテンツデータを構成する映像シーンの特徴，撮影場所，もしくは撮影日時をテキストデータにより記述されるように構成することができる。かかる構成により，電子マークテキストデータに映像コンテンツデータの特徴として，有益なテキストデータから構成される見出し情報（インデックス情報）などを設定することにより，視覚的に電子マークデータを把握または電子マークテキストデータを索引のキーワード（Ｋｅｙ  Ｗｏｒｄ）として目的の映像コンテンツデータを検索することが可能となる。
【００１８】
記録部は，電子マークデータを記録媒体におけるヘリカルトラックに記録するように構成することができる。かかる構成により，電子マークデータとして記述可能な情報容量の増大化を図ることが可能となる。
【００１９】
編集部は，編集された映像コンテンツデータに基づいて，編集情報データを作成するように構成することができる。かかる構成により，本編集前に，予め映像コンテンツデータにおける使用される映像シーンの編集開始位置や編集終了位置を表示するタイムコードをはじめとした編集情報データを作成することにより，本編集までの処理効率の向上を図れる。
【００２０】
電子マークデータは，入力される音声に基づいて生成されるように構成することができる。かかる構成により，電子マークデータを利用者からの声または音により電子マークデータを作成して，映像コンテンツデータに記述することが可能となる。
【００２１】
さらに，上記課題を解決するための本発明の別の観点によれば，映像コンテンツデータを表示する編集者端末装置とネットワークを介して接続される撮像した映像コンテンツデータを記録媒体に記録する撮像装置が提供される。この撮像装置は，映像コンテンツデータに関連する電子マークデータを映像コンテンツデータに記述する記録部を備える。
【００２２】
本発明によれば，撮像装置は，映像コンテンツデータに関連して，映像コンテンツデータの特徴が設定された電子マークデータを映像コンテンツデータに記述する。かかる構成により，映像コンテンツデータの特徴を示すインデックスである電子マークデータと映像コンテンツデータとを関連付けることが可能となる。
【００２３】
記録部は，撮影される映像コンテンツデータと，電子マークデータとを実時間に，記述するように構成することができる。かかる構成によれば，リアルタイムに撮影される映像コンテンツデータに電子マークデータを記述することで，編集に必要な映像コンテンツデータの見出し情報を含む電子マークリストデータが作成されて，撮影処理と並行して，映像コンテンツデータを編集することが可能となる。
【００２４】
映像コンテンツデータの見出し情報は，映像コンテンツデータに構成される映像シーンの見出し情報であるように構成することが可能となる。かかる構成によれば，映像コンテンツデータに構成される一または二以上の映像シーンに対して見出し情報を記述することが可能となり，映像シーンごとに詳細に特徴が記述される。
【００２５】
電子マークデータは，少なくとも映像コンテンツデータの撮影の属性情報である属性マークデータと，映像コンテンツデータの映像の特徴が記述された電子マークテキストデータとを含むように構成することができる。かかる構成により，お互いにリンクされた属性マークデータおよび電子マークテキストデータから構成されるのが，電子マークデータであり，電子マークデータのうち，映像コンテンツデータに属性マークデータが記述されることにより，電子マークテキストデータを別の記録媒体に格納することにより電子マークデータの情報の分散化を図れる。
【００２６】
属性マークデータは，少なくとも映像コンテンツデータの映像シーンを識別するシーン識別子を含むように構成することができる。かかる構成により，電子マークデータにリンクする属性マークデータは，映像コンテンツデータに構成される一または二以上からなる映像シーンを識別することが可能となり，映像シーンごとに関連付けられた電子マークデータにリンクする電子マークテキストデータを別の記憶媒体などへ情報の分散化を図れる。
【００２７】
電子マークテキストデータは，少なくとも映像コンテンツデータに含まれる映像シーンの特徴，撮影場所，もしくは撮影日時のうち少なくとも一つをテキストデータにより記述されるように構成することができる。かかる構成により，電子マークテキストデータに映像コンテンツデータの特徴として，有益なテキストデータから構成される見出し情報（インデックス情報）などを設定することにより，視覚的に電子マークデータを把握または電子マークテキストデータをキーワードとして目的の映像コンテンツデータを検索することが即座に可能となる。
【００２８】
記録部は，電子マークデータを記録媒体におけるヘリカルトラックに記録するように構成することができる。かかる構成により，電子マークデータとして記述可能な情報容量の増大化を図ることが可能となる。
【００２９】
電子マークデータは，入力される音声に基づいて生成されるように構成することができる。かかる構成により，電子マークデータを撮影者からの声または音により電子マークデータを作成して，映像コンテンツデータに記述することが可能となる。
【００３０】
さらに，上記課題を解決するための本発明の別の観点によれば，映像コンテンツデータを表示する編集者端末装置とネットワークを介して接続される撮像装置により，撮像した映像コンテンツデータが記録される記録媒体が提供される。記録媒体は，映像コンテンツデータに関連する電子マークデータは，ヘリカルトラックに記録される。
【００３１】
本発明によれば，電子ショットマークデータが記録された記録媒体を，記録再生装置（ＶＴＲ）などにより再生することができる。かかる構成により，記録媒体を問わず映像シーンをインデックスの電子マークデータにより識別して，索引することが可能であり，検出される電子マークデータに含む見出し情報により映像シーンの特徴を把握することが可能となる。
【００３２】
さらに，上記課題を解決するための本発明の別の観点によれば，撮像装置により撮影された映像コンテンツデータおよび電子マークデータを記録する磁気テープである記録媒体が提供される。
【００３３】
さらに，上記課題を解決するための本発明の別の観点によれば，映像コンテンツデータを記録媒体に記録する撮像装置とネットワークを介して接続される映像コンテンツデータを表示する編集者端末装置が提供される。この編集者端末装置は，映像コンテンツデータに関連する電子マークデータに基づいて，映像コンテンツデータの見出し情報を含む電子マークリストデータを作成する電子マークリスト作成部と，電子マークリストデータに基づいて映像コンテンツデータを編集する編集部とを備えている。
【００３４】
本発明によれば，編集者端末装置は，映像コンテンツデータに関連して，映像コンテンツデータの特徴が設定された電子マークデータを，少なくとも映像コンテンツデータの特徴が記述された見出し情報を含む電子マークリストデータを作成および，作成された電子マークリストデータに基づいて映像コンテンツデータを編集する。かかる構成により，電子マークリストデータに構成される映像コンテンツデータの特徴が記述された見出し情報に基づいて，必要な映像コンテンツデータ選択して，直接映像コンテンツデータを編集することが可能であり，編集すべき映像コンテンツデータの情報が電子マークリストデータに常に集約される。さらに，完成品である映像コンテンツデータが編集される本編集までの事前に必要な映像シーンを選択して，編集開始位置および編集終了位置を決定する粗編集に費やされる編集作業の省力化を常に図れる。
【００３５】
映像コンテンツデータの見出し情報は，映像コンテンツデータに構成される映像シーンの見出し情報であるように構成することが可能となる。かかる構成によれば，映像コンテンツデータに構成される一または二以上の映像シーンに対して見出し情報を記述することが可能となり，映像シーンごとに詳細に特徴が記述される。
【００３６】
電子マークデータは，少なくとも映像コンテンツデータの撮影の属性情報である属性マークデータと，映像コンテンツデータの映像の特徴が記述された電子マークテキストデータとを含むように構成することができる。かかる構成により，お互いにリンクされた属性マークデータおよび電子マークテキストデータから構成されるのが，電子マークデータであり，電子マークデータのうち，映像コンテンツデータに属性マークデータが記述されることにより，電子マークテキストデータを別の記録媒体に格納することにより電子マークデータの情報の分散化を図れる。
【００３７】
属性マークデータは，少なくとも映像コンテンツデータの映像シーンを識別するシーン識別子を含むように構成することができる。かかる構成により，電子マークデータにリンクする属性マークデータは，映像コンテンツデータに構成される一または二以上からなる映像シーンを識別することが可能となり，映像シーンごとに関連付けられた電子マークデータにリンクする電子マークテキストデータを別の記憶媒体などへ情報の分散化を図れる。
【００３８】
電子マークテキストデータは，少なくとも映像コンテンツデータを構成する映像シーンの特徴，撮影場所，または撮影日時のうち少なくとも一つをテキストデータにより記述されるように構成することができる。かかる構成により，電子マークテキストデータに映像コンテンツデータの特徴として，有益なテキストデータから構成される見出し情報（インデックス情報）などを設定することにより，視覚的に電子マークデータを把握または電子マークテキストデータをキーワードとして目的の映像コンテンツデータを検索することが即座に可能となる。
【００３９】
編集部は，編集された映像コンテンツデータに基づいて，編集情報データを作成するように構成することができる。かかる構成により，編集者端末装置から予め本編集前に，映像コンテンツデータにおける使用される映像シーンの編集開始位置や編集終了位置を表示するタイムコードをはじめとした編集情報データを作成することにより，本編集までの処理効率の向上を図れる。
【００４０】
電子マークデータは，入力される音声に基づいて生成されるように構成することができる。かかる構成により，電子マークデータを編集者からの声または音により電子マークデータを作成して，映像コンテンツデータに記述することが可能となる。
【００４１】
さらに，上記課題を解決するための本発明の別の観点によれば，コンピュータをして編集者端末装置として機能させるコンピュータプログラムおよびそのコンピュータプログラムが記憶されたコンピュータ読み取り可能な記録媒体が提供される。記録媒体はコンピュータ読み取り可能な媒体であり記憶装置などに含まれる磁気記録媒体を含む。
【００４２】
さらに，上記課題を解決するための本発明の別の観点によれば，編集者端末装置により電子マークデータに基づいて作成される電子マークリストデータおよび映像コンテンツデータが記録される記録媒体が提供される。
【００４３】
さらに，本発明の別の観点によれば，撮像した映像コンテンツデータを記録媒体に記録する撮像装置とネットワークを介して接続される撮像装置から伝送される映像コンテンツデータを表示する編集者端末装置とから成る映像コンテンツ編集支援方法が提供される。この映像コンテンツ編集支援方法は，映像コンテンツデータに関連する電子マークデータを前記映像コンテンツデータに記述し，電子マークデータに基づいて，映像コンテンツデータの見出し情報を含む電子マークリストデータを作成し，電子マークリストデータに基づいて映像コンテンツデータを編集することを特徴としている。
【００４４】
電子マークデータは，撮影される前記映像コンテンツデータと，実時間に記述されるように構成することができる。かかる構成により，撮影された映像コンテンツデータの記録処理と並行して電子マークデータが映像コンテンツデータに記述されて記録媒体に記録される。
【００４５】
映像コンテンツデータの見出し情報は，映像コンテンツデータに構成される映像シーンの見出し情報であるように構成してもよい。
【００４６】
電子マークデータは，少なくとも映像コンテンツデータの撮影の属性情報である属性マークデータと，映像コンテンツデータの映像の特徴が記述された電子マークテキストデータとを含むように構成してもよい。
【００４７】
属性マークデータは，少なくとも映像コンテンツデータの映像シーンを識別するシーン識別子を含むように構成してもよい。
【００４８】
電子マークテキストデータは，少なくとも映像コンテンツデータを構成する映像シーンの特徴，撮影場所，または撮影日時のうち少なくとも一つをテキストデータにより記述されるように構成してもよい。
【００４９】
電子マークデータは，記録媒体におけるヘリカルトラックに記録されるように構成してもよい。
【００５０】
編集された映像コンテンツデータに基づいて，編集情報データが作成されるように構成してもよい。
【００５１】
電子マークデータは，入力される音声に基づいて生成されるように構成してもよい。
【発明の効果】
【００５２】
以上説明したように，本発明によれば，撮影中に，並行して記録された映像コンテンツデータに基づいて，本編集に必要な映像シーンの取捨選択などの粗編集を行うことにより，編集処理の効率を向上することができる。
【発明を実施するための最良の形態】
【００５３】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００５４】
（１．  システム構成）
まず，図１，図２，および図３を参照しながら，本発明に基づいて構成された映像コンテンツ編集支援システムの構成について説明する。図１は，本実施の形態にかかる映像コンテンツ編集支援システムの概略的な構成を示すブロック図であり，図２は，本実施の形態にかかる映像コンテンツ編集支援システムの編集者端末装置４の構成を示すブロック図であり，図３は，本実施の形態にかかる映像コンテンツ編集支援システムの撮像装置２の構成を示すブロック図である。
【００５５】
まず，図１に示すように，映像コンテンツ編集支援システムは，ネットワーク１６を介して，ビデオカメラなどの撮像装置２と，携帯用コンピュータ装置６，携帯電話８，または携帯端末１０などからなる編集者端末装置４とが相互に接続されている。
【００５６】
上記撮像装置２は，必ずしも１台から構成される必要はなく，複数台からなる撮像装置２が，ネットワーク１６を介して，複数台から構成される編集者端末装置４とピアツーピア（Ｐｅｅｒ  ｔｏ  Ｐｅｅｒ）に接続されている。
【００５７】
また，撮像装置２と，編集者端末装置４との間にサーバ（図示せず）を備えることで，ピアツーピアではなく，撮像装置２および編集者端末装置４をクライアントとした，クライアント／サーバ（Ｃｌｉｅｎｔ／Ｓｅｒｖｅｒ）のネットワークに構成することも可能である。
【００５８】
撮像装置２は，カムコーダなどの，ビデオカメラであり，放送用のニュース番組の取材や，スポーツなどの試合の模様や，映画などの素材の撮影に使用される装置である。
【００５９】
また図１に示すように，記録媒体１４を撮像装置２にセットすることで，例えば取材の現場で，撮像装置２により映像コンテンツデータを記録媒体１４に記録することができる。なお，本実施の形態にかかる記録媒体１４は，磁気テープなどの媒体であり，例えばＤ１０用とされるデジタルＶＴＲフォーマットのビデオテープなどを巻装している。
【００６０】
撮像装置２は，取材などで撮影された素材（映像コンテンツデータ）を磁気テープなどの記録媒体１４に記録して，記録された映像コンテンツデータを再生することも可能である。
【００６１】
映像コンテンツデータは，写真や絵画などの静止画像データ，映画や演劇などの動画像データ，ラジオ番組などの音声データ，またはそれらの組合せから構成されるデータである。
【００６２】
上記記録された映像コンテンツデータに構成される１または２以上からなる映像シーンの中から，まず，本編集で使用される映像シーン（カット）を集めて選択して，（Ｌｏｇｇｉｎｇ），映像シーンの中から，使用される編集開始位置（Ｉｎ点）または編集終了位置（Ｏｕｔ点）を設定して編集を行い，本編集のための映像シーンの抽出を行う（Ｉｎｇｅｓｔｉｎｇ）処理などからなる，粗編集を経て，番組などで放送（放映）するための完全パッケージデータが作成される（本編集）。
【００６３】
上記完全パッケージデータは，従来では，映像コンテンツデータ（記録素材データ）が記録された記録媒体１４を，映像コンテンツデータの最初から再生して，使用されると思われる映像シーンのＩｎ点またはＯｕｔ点である編集位置を，記録媒体１４に記録されたタイムコードに基づいて，人手により編集位置を決定して紙媒体などに記録していた。なお，タイムコードについては，後程詳細に説明する。
【００６４】
編集者端末装置４は，撮像装置２から撮影される映像コンテンツデータを，ネットワーク１６を介してリアルタイムで随時受信して，撮影されている映像コンテンツをディスプレイ装置などに表示する。したがって，撮影者が撮影している内容を，撮像装置２とは別の場所で撮影者と同じ視点で確認できる。なお，記録された映像コンテンツデータをまとめて一括して受信することも可能である。
【００６５】
ネットワーク１６は，ＩＥＥＥ８０２．１１ａ規格などを始めとした無線または，ＲＳ−２３２Ｃなどの有線から構成される。また，衛星通信や，光ファイバなどの有線，無線などから構成することも可能である。
【００６６】
（１．１  電子マークデータについて）
つぎに，本実施の形態にかかる電子マークデータについて説明する。
【００６７】
電子マークデータは，撮影時において，映像データまたは音声データなどの映像コンテンツデータに記述される映像コンテンツデータに関連した情報から構成された関連データ（メタデータ）である。
【００６８】
電子マークデータは，ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）標準規格が定めるところの方法に従い，ＳＤＩ（Ｓｅｒｉａｌ  Ｄｉｇｉｔａｌ  Ｉｎｔｅｒｆａｃｅ）などにより伝送される。
【００６９】
電子マークデータは，記録媒体１４のメディア（媒体）を識別する記録媒体識別，映像コンテンツデータに構成する１または２以上から成る映像シーンを識別する映像シーン識別などの識別子である属性マークデータと，ＧＰＳ（Ｇｌｏｂａｌ  Ｐｏｓｉｔｉｏｎｉｎｇ  Ｓｙｓｔｅｍ）などにより特定される撮影場所，撮像装置のカメラ倍率情報，映像シーンの特徴，および撮影日時などがテキストデータで表された電子テキストマークデータとから構成される。
【００７０】
属性マークデータは，ＵＭＩＤ（Ｕｎｉｑｕｅ  Ｍａｔｅｒｉａｌ  Ｉｄｅｎｔｉｆｉｅｒ）を利用して，どの映像コンテンツデータのどの映像シーンであるかを識別する。なお，ＵＭＩＤについては後程詳述する。
【００７１】
したがって，映像コンテンツデータに記述された電子マークデータを，粗編集処理において，インデックスとして索引することにより，目的とする映像データまたは音声データが含まれる映像シーンを選択することが可能となり，映像コンテンツデータを記録再生装置（ＶＴＲ）などで繰返し再生処理などをせずに，事前に本編集に必要となる映像シーンを選択する作業の効率化を図れる。
【００７２】
（１．２  電子テキストマークデータ）
次に，図５を参照しながら，電子テキストマークデータについて説明する。図５は，本実施の形態にかかる電子テキストマークデータのＫＬＶ（Ｋｅｙ  Ｌｅｎｇｔｈ  Ｖａｌｕｅ）符号化されたフォーマットを示す説明図である。
【００７３】
電子テキストマークデータは，映像シーンの特徴またはエッセンスなどが記述されたテキストデータであり，上記属性マークデータに関連付けられた（リンクされた）メタデータである。例えば，映像シーンとして，「ハイライト」，「ＯＫ」，「ＮＧ」などの映像シーンの特徴や，「トウキョウ」「ニホン」などの撮影場所などの情報がテキストデータにより記述される。
【００７４】
図５に示すように，電子マークテキストデータがネットワークを介して伝送される場合，ＫＬＶ符号化される必要があり，ＫＬＶ符号化された電子テキストマークデータは，最大４９バイトから構成される。フォーマットは，ＳＭＰＴＥ  ３３５Ｍ／ＲＰ２１０Ａ（メタデータ辞書）に準拠している。
【００７５】
ＫＬＶ符号化された電子テキストマークデータは，１６バイトからなる「Ｋｅｙ」部と，１バイトからなる「Ｌ」（Ｌｅｎｇｔｈ）部と，最大３２バイトからなる「Ｖａｌｕｅ」部とから構成される。
【００７６】
「Ｋｅｙ」部は，ＳＭＰＴＥ  ３３５Ｍ／ＲＰ２１０Ａ（メタデータ辞書）に準拠した，ＫＬＶ符号化されたデータ項目を示す識別子であり，電子テキストマークデータであることを識別するための識別子である。様々なデータ項目に対する本識別子の値がＳＭＰＴＥのメタデータ辞書（Ｍｅｔａｄａｔａ  Ｄｉｃｔｉｏｎａｒｙ）に定義されている。
【００７７】
さらに，本実施の形態にかかる電子テキストマークデータの符号化に対応するものとしては，ＳＭＰＴＥのメタデータ辞書に“Ｃａｔａｌｏｇｕｉｎｇ，ｌｎｄｅｘｉｎｇ，Ｔｈｅｓａｕｒｕｓ  ｏｒ  Ｇａｚｅｔｔｅｒ  ｓｙｓｔｅｍ  ｕｓｅｄ”と命名された項目が定義されている。
【００７８】
上記定義された具体的な値としては，電子テキストマークデータがＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）の７ビット符号化文字セットで記述される場合，１６進数で表すと，０６（ｈ）  ０Ｅ（ｈ）  ２Ｂ（ｈ）  ３４（ｈ）  ０１（ｈ）  ０１（ｈ）  ０１（ｈ）  ０１（ｈ）  ０３（ｈ）  ０２（ｈ）  ０１（ｈ）  ０２（ｈ）  ０２（ｈ）  ００（ｈ）  ００（ｈ）  ００（ｈ）に表示される。
【００７９】
ＵＴＦ―１６（ユニコード）で記述される場合は，１６進数で表すと，０６（ｈ）０Ｅ（ｈ）  ２Ｂ（ｈ）  ３４（ｈ）  ０１（ｈ）  ０１（ｈ）  ０１（ｈ）  ０１（ｈ）  ０３（ｈ）  ０２（ｈ）  ０１（ｈ）  ０２（ｈ）  ０２（ｈ）  ０１（ｈ）００（ｈ）  ００（ｈ）である。
【００８０】
「Ｌ」部は，「Ｌ」部以降に続くデータの長さをバイト単位で示す。電子マークテキストデータの符号化においては，ＩＳＯの７ビット符号化文字セットを用いた場合は最大のデータ長が３２バイト（２０（ｈ））であり，ＵＴＦ‐１６（１６−ｂｉｔ  ＵＣＳ  Ｔｒａｎｓｆｏｒｍａｔｉｏｎ  Ｆｏｒｍａｔ）を用いた場合，データ長は，無制限である。なお，ＵＣＳ（Ｕｎｉｖｅｒｓａｌ  Ｍｕｌｔｉｐｌｅ−Ｏｃｔｅｔ  Ｃｏｄｅｄ  Ｃｈａｒａｃｔｅｒ  Ｓｅｔ）は，ＩＳＯ−７ビット符号化文字セットと同様に，ＩＳＯとＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）が共同で作成された符号化文字セットである。
【００８１】
「Ｖａｌｕｅ」部は，電子マークテキストデータが格納されるテキストデータから成るフィールドである。ＵＴＦ‐１６を用いた場合は，２バイトで１文字を表す。
【００８２】
ＫＬＶ符号化された電子マークテキストデータは，ＳＭＰＴＥ標準規格が定めるところの方法に従い，伝送される。例えばＳＤＩ（ＳｅｒｉａＩ  Ｄｉｇｉｔａｌ  Ｉｎｔｅｒｆａｃｅ）で伝送される場合においては，ＫＬＶ符号化された電子マークテキストデータは，映像データのＶ‐ａｎｃｉｌｌａｒｙ領域に格納される。
【００８３】
（１．３  ＵＭＩＤデータについて）
次に，図４を参照しながら，ＵＭＩＤデータについて説明する。図４は，本実施の形態にかかる映像コンテンツ編集支援システムの符号化されたＵＭＩＤデータのフォーマットの一例を示す説明図である。
【００８４】
ＵＭＩＤデータは，国際標準化団体であるＳＭＰＴＥよって標準化されて，映像コンテンツデータ（記録素材データ）の識別子である。ＵＭＩＤデータについても，電子マークテキストデータと同様に，ＳＤＩなどによりネットワークを介して伝送される場合，ＫＬＶ符号化される必要がある。
【００８５】
図４に示すように，ＫＬＶ符号化されたＵＭＩＤデータは，３２バイトから構成されるデータであり，「ユニバーサルラベル」（Ｕｎｉｖｅｒｓａｌ  Ｌａｂｅｌ），ＵＭＩＤの残り部分のデータ長を示す「Ｌ」（Ｌｅｎｇｔｈ：データ長），インスタンス番号（Ｉｎｓｔａｎｃｅ  ｎｕｍｂｅｒ），ならびに素材番号（Ｍａｔｅｒｉａｌ  Ｎｕｍｂｅｒ）のフォーマットから構成される。
【００８６】
ユニバーサルラベルは，データがＳＭＰＴＥのＵＭＩＤであることを識別する固有の識別子である。このＵＭＩＤにより識別される素材の種類などを定義する。
【００８７】
データ長は，インスタンス番号および素材番号とのデータの長さを示し，ＵＭＩＤデータは，１６進数で示すと，「１３（ｈ）」の固有値である。
【００８８】
インスタンス番号は，素材のインスタンス間の違いを定義するために用いられる３バイトから構成されるフィールドである。例えば，インスタンス番号は，オリジナルな素材のデータの場合には，「００（ｈ）  ００（ｈ）  ００（ｈ）」を示す。なお，インスタンス番号は，ＳＭＰＴＥにおけるＵＭＩＤの標準規格で規定されている。
【００８９】
素材番号は，映像コンテンツデータに構成される映像シーンを識別するための１６バイトからなるフィールドである。したがって，ＵＭＩＤデータの素材番号により，記録媒体に記録された映像コンテンツデータの映像シーンを識別することが可能である。
【００９０】
したがって，ＵＭＩＤデータの素材番号は，映像シーンを識別する識別子であることから，ＵＭＩＤデータの素材番号に基づいて，目的の映像フレームを映像コンテンツデータから検索して，抽出することが可能である。
【００９１】
図４に示すように，ＵＭＩＤデータは，ＫＬＶ（Ｋｅｙ  Ｌｅｎｇｔｈ  Ｖａｌｕｅ）符号化に基づいて符号化される。ＫＬＶ符号化は，ＳＭＰＴＥ  Ｓｔａｎｄａｒｄ  ３３６Ｍ  ｆｏｒ  Ｔｅｌｅｖｉｓｉｏｎで標準化されているデータをエンコーディングするプロトコル（Ｐｒｏｔｏｃｏｌ）である。
【００９２】
ＫＬＶ符号化されたＵＭＩＤデータは，ＳＭＰＴＥ標準化規格が定める方法に従い，ネットワークを介して外部へ伝送される。
【００９３】
（２．  映像コンテンツ編集支援システムの各コンポーネントの構成）
次に，図１，図２，および図３を参照しながら，本実施の形態にかかる映像コンテンツ編集支援システムの各コンポーネントの構成について説明する。
【００９４】
（２．１  ネットワーク１６）
ネットワーク１６は，撮像装置２と編集者端末装置４とを相互に双方向通信可能に接続するものであり，本実施の形態では，ＩＥＥＥ８０２．１１ａ規格などを始めとした無線通信であるが，有線無線問わず，ＲＳ−２３２Ｃなどの有線通信，衛星通信，または光ファイバを使用した光通信なども含む。
（２．２  編集者端末装置４）
編集者端末装置４は，少なくとも中央演算処理部と，通信部と記憶部とを備えた情報処理装置であり，一般的にはコンピュータ装置である。図１に示すように，ラップトップ型の携帯用コンピュータ装置６，携帯電話８，ＰＤＡ（Ｐｅｒｓｏｎａｌ  Ｄｉｇｉｔａｌ（Ｄａｔａ）  Ａｓｓｉｓｔａｎｔｓ）である携帯情報端末装置１０などを例示することができる。
【００９５】
編集者端末装置４は，撮像装置２からリアルタイムに伝送される映像コンテンツデータまたは電子マークデータを表示または記録することができる。また，撮像装置２にネットワーク１６を介して，電子マークデータの変更追加などの編集処理，また映像コンテンツデータの編集処理などをすることができる。
【００９６】
編集者端末装置４は，図２に示すように，演算機能を備えたＣＰＵ２３（中央演算処理部）と，撮像装置２とネットワーク１６介してデータを送受信する通信部２１と，映像コンテンツデータなどを表示する表示部２２と，入力部２４と，電子マークデータに基づいて電子マークリストデータを作成する電子マークリスト作成部２８と，電子マークデータまたは映像コンテンツデータの編集をする編集部２６と，映像コンテンツデータなどを記憶する記録媒体（図示せず）を備える記憶装置２０とを備えている。
【００９７】
通信部２１は，ネットワーク１６を介して映像コンテンツデータ，電子マークデータなどを送受信する。また，映像コンテンツデータを受信入力して表示部２２に映像を表示するためのビデオキャプチャなどの機能を備えている。
【００９８】
入力部２４は，ボタン，レバー，またはキーボードなどから構成されており，キーボードなどを用いて文字などのテキストデータを生成することができる。また，音声入力端子などを備えて外部マイク（図示せず）から音声を入力してテキストデータに変換することもできる。
【００９９】
（２．３  撮像装置２）
次に，図３を参照しながら，撮像装置２について説明する。図３は，本実施の一形態にかかる映像コンテンツ編集支援システムの撮像装置の概略的な構成を示すブロック図である。
【０１００】
撮像装置２は，被写体を撮影して，撮影した映像コンテンツデータを記録媒体１４に記録して，記録媒体１４に記録された映像コンテンツデータを再生する機能を有している，カメラおよびＶＴＲ（Ｖｉｄｅｏ  Ｔａｐｅ  Ｒｅｃｏｒｄｅｒ）とが一体となった装置である。
【０１０１】
図３に示すように，撮像装置２は，映像および音声データを記録／再生する記録／再生ブロックと，編集者端末装置４などの外部とのデータを送受信する通信部７５と，制御装置７６と，電子マークデータを記述するマーク設定ブロックと，電子マークデータを抽出するマーク抽出ブロックとから構成される。
【０１０２】
制御装置７６は，データを記憶する記憶機能を備えて，さらに固定ヘッド５５，回転ヘッド部３７，ＣＰＵ６７，記録部５４，および通信部７５に接続されて，送受信するデータまたは信号を制御する制御装置である。
【０１０３】
記録／再生ブロックは，デジタル信号記録部７１，デジタル信号再生部７２，アナログ音声信号記録部７３，アナログ音声信号発生部７４，タイムコードを記録／再生するための固定ヘッド５５および固定ヘッド３８，キャプスタンモータ３５と，ドラムモータ３６と，映像および音声データを記録／再生する回転ヘッド部３７と，モータ制御部３４とから構成される。
【０１０４】
記録／再生ブロックは，被写体から撮影された映像または音声などから構成される映像コンテンツデータを，映像信号または音声信号に変換して，映像データまたは音声データとして記録または再生する。またマーク設定ブロックで生成された電子マークデータを記録媒体１４の映像コンテンツデータの所定位置に記述する。
【０１０５】
また，撮像装置２の電源を入れるなどの記録動作や再生動作等の動作モードなどを設定する操作スイッチ部３２は，動作制御部３３に接続されている。動作制御部３３は，操作スイッチ部３２で設定された動作モード信号ＣＴに基づきモータ制御信号ＭＣ及びモード信号ＭＳを生成，または通信部７５から送信されてくる動作モード信号ＣＴに基づいてモータ制御信号ＭＣ及びモード信号ＭＳを生成する。
【０１０６】
モータ制御信号ＭＣはモータ制御部３４に伝送され，モード信号ＭＳは記録部５４，再生部６１，デジタル信号記録部７１，デジタル信号再生部７２，アナログ音声信号記録部７３，アナログ音声信号発生部７４及び単安定マルチバイブレータ（以下，「モノマルチ」）１７に伝送される。
【０１０７】
モータ制御部３４では，伝送されたモータ制御信号ＭＣに基づきモータ駆動信号ＭＤが生成される。このモータ駆動信号ＭＤがキャプスタンモータ３５及びドラムモータ３６に伝送されることにより，記録媒体１４である磁気テープが走行すると共に複数のヘッドを有する回転ヘッド部３７が回転する。
【０１０８】
上記回転ヘッド部３７は，回転することにより，電子マークデータを映像コンテンツデータに記述して，上記電子マークデータが記述された映像コンテンツデータを記録媒体１４に記録する。
【０１０９】
マーク設定ブロックは，設定スイッチ４０と，データ信号発生部４１と，タイムコードデータ保持部４２と，ユーザデータ保持部４３と，記録開始データ保持部４４と，電子マークテキストデータ保持部４５と，属性マークデータ保持部７８と，モノマルチ５１およびモノマルチ４７と，信号切換スイッチ１９および信号切換スイッチ７７と，マーカボタン５０と，信号変調部５３と，記録部５４と，音声マイク変換部７９とから構成される。
【０１１０】
マーク設定ブロックは，記録媒体１４に映像コンテンツデータのフレームと同期する時間情報のタイムコードデータと，マーカボタン５０または音声マイク変換部７９からの入力により，電子マークテキストデータと，属性マークデータとを生成する。なお，タイムコードデータについては後程詳述する。
【０１１１】
また，設定スイッチ部４０は，撮影時間，電子マークデータに構成する電子マークテキストおよび属性マークのパターン（種類）や，撮影場所の位置，方位，高度を測位するＧＰＳ情報などを記録するか否かの設定が行われ，設定信号ＳＳをパターン発生手段であるデータ信号発生部４１に伝送する。
【０１１２】
データ信号発生部４１では，設定スイッチ部４０からの設定信号ＳＳに基づきタイムコードデータＤＴ，ユーザデータＤＵ，電子マークテキストデータＤＭ，および属性マークデータＤＺを生成する。ここで生成されたタイムコードデータＤＴはタイムコードデータ保持部４２に保持されると共に信号変調部５３に伝送される。またユーザデータＤＵは，ユーザデータ保持部４３に保持されると共に信号切換スイッチ４９の端子ａに伝送される。電子マークテキストデータＤＭは電子マークテキストデータ保持部４５に保持されると共に信号切換スイッチ７７の端子ｂに伝送される。属性マークデータＤＺは属性マークデータ保持部７８に保持されると共に信号切換スイッチ７７の端子ａに伝送される。
【０１１３】
マーカボタン５０は，電子マークデータに構成される電子マークテキストデータを記述（記録）するときに押されるボタンである。マーカボタン５０は，１または２以上のボタンから構成される。
【０１１４】
映像素材を撮影記録中に，例えばマーカボタン５０が複数のボタンから構成される場合は，場面の見せ場である「ハイライト」ボタンが押されるとテキストデータが“ハイライト”からなる電子マークテキストデータ「ハイライト」マークが記憶媒体１４などに記述される。
【０１１５】
また，例えば「Ｉｎ」ボタンが押されると，テキストデータが“Ｉｎ”からなる電子マークテキストデータ「Ｉｎ」マークが記述される。「Ｏｕｔ」ボタンが，押されるとテキストデータが“Ｏｕｔ”からなる電子マークテキストデータ「Ｏｕｔ」マークが記述される。マーカボタン５０の構成は，撮影される被写体，取材目的などにより随時変更することが可能である。
【０１１６】
音声マイク変換部７９は，マーカボタン５０と同様に，電子マークデータに構成される電子マークテキストデータおよび属性マークデータを記録するために使用される。音声を入力すると，その音声を認識してテキストデータに変換して，電子マークテキストデータまたは属性マークデータとして回転ヘッド部３７により映像コンテンツデータに記述されて，記録媒体１４に記録される。例えば，「ハイライト」と音声入力されると電子マークテキストデータの「ハイライト」マークとして認識して「ハイライト」の電子マークテキストデータが記録媒体１４に記述される。
【０１１７】
マーカボタン５０および音声マイク変換部７９は，上記記載のように，電子マークデータに構成される電子マークテキストデータおよび属性マークデータを映像コンテンツデータに記述するために操作される入力装置であり，マーカボタン５０または音声マイク変換部７９が操作されて操作信号ＳＧがモノマルチ５１に伝送されると，モノマルチ５１から所定時間ハイレベル「Ｈ」のマーク信号ＧＷが信号切換スイッチ７７と論理和回路５２に伝送される。信号切換スイッチ７７では，マーク信号ＧＷによって可動端子が制御される。
【０１１８】
モノマルチ４７では，モード信号ＭＳに基づき動作モードが記録動作に移行したとき所定時間ハイレベル「Ｈ」の信号ＭＴが生成される。このモードタイミング信号ＭＴは，論理和回路５２に伝送される。
【０１１９】
論理和回路５２は，信号ＭＲを信号切換スイッチ４９に伝送する。信号切換スイッチ４９では，この信号ＭＲによって可動端子が制御される。
【０１２０】
信号変調部５３では，タイムコードデータ保持部４２から伝送されたタイムコードデータＤＴの更新が自動的に行われる。また更新されたタイムコードデータＤＴは，信号切換スイッチ４９で選択されたデータと共に変調されて記録データ信号ＷＴとされる。この記録データ信号ＷＴは，記録部５４に伝送される。
【０１２１】
記録部５４では，伝送された記録データ信号ＷＴが記録データ信号ＷＳに変換されて，動作制御部３３から伝送されるモード信号ＭＳに基づいて記録データ信号ＷＳを，固定ヘッド５５および回転ヘッド部３７に伝送する。
【０１２２】
上記回転ヘッド部３７は，電子マークデータに構成する属性マークデータおよび電子マークテキストデータを，映像コンテンツデータに記述して，上記記述された映像コンテンツデータを記録媒体１４のヘリカルトラック８２に記録する。
【０１２３】
上記固定ヘッド５５は，タイムコードデータを映像コンテンツデータに記述して，上記記述された映像コンテンツデータを，記録媒体１４におけるタイムコードトラックＴＣに記録する。
【０１２４】
マーク抽出ブロックは，再生部６１と，データ分離部６２と，データ保持部６３と，ユーザ領域データ保持部６４と，比較パターン発生部６６と，パターン比較部６５と，ＣＰＵ６７と，表示部６８と，選択設定スイッチ６９とから構成される。
【０１２５】
マーク抽出ブロックは，記録媒体１４を再生することにより，映像コンテンツデータに記録されている電子マークテキストデータまたは属性マークデータを抽出する。
【０１２６】
再生部６１は，映像コンテンツデータから抽出される映像データまたは音声データ信号を再生する信号を再生する固定ヘッド５５および回転ヘッド部３７に接続されており，固定ヘッド５５からの再生信号ＲＳは，再生映像コンテンツデータ信号ＲＴに変換されてデータ分離部６２に伝送される。
【０１２７】
データ分離部６２は，再生映像コンテンツデータ信号ＲＴから映像コンテンツデータＤＴと，ヘリカルトラックのＡＵＸ信号フィールド８３に格納されたユーザデータのユーザデータＤＥとに分離する。なお，ヘリカルトラック８２およびＡＵＸ信号フィールド８３については，後程詳述する。
【０１２８】
分離された映像コンテンツデータＤＴはデータ保持部６３に伝送されて，次の映像コンテンツデータＤＴが送信されるまで保持される。また保持された映像コンテンツデータＤＴは演算処理部（ＣＰＵ）６７に伝送される。
【０１２９】
ユーザデータＤＥはユーザ領域データ保持部６４に保持される。ユーザ領域データ保持部６４に保持されたユーザデータＤＥは，パターン比較部６５とＣＰＵ６７に伝送される。
【０１３０】
また，液晶ディスプレイなどから構成される表示部６８が備えられ，電子マークデータに構成される電子マークテキストデータおよび属性マークデータと，タイムコードデータと，映像コンテンツデータなどを表示する。
【０１３１】
パターン比較部６５は，比較パターン発生部６６と接続しており，比較パターン発生部６６で生成された属性マークデータＤＺまたは電子マークデータＤＭと，ユーザ領域データ保持部６４から伝送されるユーザデータＤＥとが比較され，比較結果を示す比較信号ＣＣがＣＰＵ６７に伝送される。
【０１３２】
ＣＰＵ６７は，パターン比較部６５から伝送された比較信号ＣＣに基づいて，属性マークデータＤＺとユーザデータＤＥとが一致した場合または電子マークテキストデータＤＭとユーザデータＤＥとが一致した場合，一致した属性マークデータＤＺまたは電子マークテキストデータがＲＡＭに記憶される。記憶される属性マークデータＤＺまたは電子マークテキストデータは，ＣＰＵ６７により，表示部６８および制御装置７６に送信される。
【０１３３】
このため，属性マークデータＤＺまたは電子マークデータＤＭが指定されることにより，簡単に指定された属性マークデータＤＺまたは電子マークデータＤＭに対応する映像コンテンツデータの映像シーンにキューアップできる。
【０１３４】
なお，デジタル信号記録部７１ではデジタルの映像信号および音声信号が記録信号に変換される。またこの記録信号が動作制御部３３から伝送されたモード信号ＭＳに基づき回転ヘッド部３７に伝送されて，回転ヘッド部３７は，磁気テープである記録媒体１４に映像コンテンツデータからなる信号の記録を行う。
【０１３５】
さらに，デジタル信号記録部７１は，編集者端末装置４に撮影された映像コンテンツデータを送信するために，記録信号を制御装置７６へ伝送する。伝送された記録信号は，編集者端末装置４に送信して表示できるように，変換されて通信部７５から編集者端末装置４へ送信される。
【０１３６】
記録媒体１４を再生して回転ヘッド部３７から得られる再生信号は，デジタル信号再生部７２に伝送されてデジタルの映像信号や音声信号からなる映像コンテンツデータに変換されて，再生部６１および制御装置７６へ伝送される。
【０１３７】
また，アナログ音声信号記録部７３は，アナログの音声信号を記録信号に変換する。上記記録信号は，動作制御部３３から伝送されるモード信号ＭＳに基づき固定ヘッド３８または制御装置７６に伝送されて記録される。記録媒体１４または制御装置７６から得られた再生信号は，アナログ音声信号再生部７４に伝送されてアナログの音声信号に変換される。
【０１３８】
（２．４  記録媒体１４について）
まず，図６を参照しながら，電子マークデータおよび映像コンテンツデータが記録される記録媒体１４について説明する。図６は，本実施の形態にかかる映像コンテンツ編集支援システムの記録媒体の概略的な構造を示す説明図である。
【０１３９】
図６に示すように，記録媒体１４は，テープ上に回転ヘッド３７の走行方向にヘリカルスキャンにより形成されるヘリカルトラック８２と，テープの長手方向に形成されるコントロールトラックＣＴＬと，映像コンテンツデータと同期する時間軸であるタイムコードトラックＴＣから構成される。
【０１４０】
ヘリカルトラック８２は，ＳＭＰＴＥにより標準規格されており，１フレームの映像データは，例えば，１０個または１２個等からなる１組のヘリカルトラックに記録される。
【０１４１】
ヘリカルトラック８２は，映像データとして記録されるビデオ信号フィールド８０と，音声データとして記録されるオーディオ信号フィールド８１と，ＡＵＸ（Ａｕｘｉｌｉａｒｙ）信号フィールド８３とから構成される。
【０１４２】
ＡＵＸ信号フィールド８３は，図８に示すように，「ヘッダ」部と，５バイトからなる「システム」部と，１０４バイトからなる「ユーザデータ」部と，３５バイトからなる「リザーブ」部と，１２バイトからなる「パリティ」部とから構成されるフォーマットである。
【０１４３】
さらに，１０４バイトからなる「ユーザデータ」部は，図９に示すように，「ヘッダ」部と，「電子マーク」部とから構成されるフォーマットであり，本実施の形態にかかる属性マークデータおよび電子マークテキストデータから構成される電子マークデータは，「電子マーク」部に記録される。なお，映像データおよび音声データは，アナログ形式で記録されてもよい。また，映像データおよび音声データは，例えばＭＰＥＧ−２規格などに基づいて圧縮されてもよい。
【０１４４】
（２．４．１  タイムコードについて）
タイムコードトラックＴＣに記録されるタイムコードデータは，図７に示すように，８０ビットからなる１フレームエリアを１単位として構成されている。この１フレームエリアは，同期信号を記録するための同期信号エリア，時間（ＨＨ），分（ＭＭ），秒（ＳＳ），フレーム（ＦＦ）を表すタイムコード（ＨＨ：ＭＭ：ＳＳ：ＦＦ）を記録するための８個のタイムコード記録ビットエリアと，ユーザーズビット（Ｄ１Ｄ２：Ｃ１Ｃ２：Ｂ１Ｂ２：Ａ１Ａ２）を記録するための８個のユーザーズビット記録エリアとから構成されている。
【０１４５】
図７に示すように，タイムコードの時間（ＨＨ）情報は，ビット４８〜５１およびビット５６〜５９で表される２つのビットエリア（Ｈ，Ｈ）に記録されて，分（ＭＭ）情報は，ビット３２〜３５およびビット４０〜４２で表される２つのビットエリアに記録されて，秒（ＳＳ）情報は，ビット１６〜１９およびビット２４〜２６で表される２つのビットエリアに記録されて，フレーム（ＦＦ）情報は，ビット０〜３およびビット８〜９で表される２つのビットエリアに記録される。
【０１４６】
（２．４．２  電子マークデータが記録される記録媒体１４について）
ここで，電子マークデータがマーキング（記録）された記録媒体１４について，図１０を参照しながら説明する。図１０は，電子マークデータが記述された場合の記録媒体１４を示す説明図である。
【０１４７】
撮像装置２に構成されたマーカボタン５０または音声マイク変換７９によって，粗編集などのために映像コンテンツデータに構成される所望の映像シーンを検索するインデックスとして電子マークテキストデータが記録媒体１４などに記録される。
【０１４８】
図１０に示すように，撮像装置２により，撮影処理中に，本編集で使用される映像シーンなどに電子マークデータが，記録媒体１４に直接，マーキングされる。
【０１４９】
まず撮像装置２により，図１０に示すように，「映像シーン１」の撮影処理が開始されると，再生方向から順に，記録処理開始を示すＲＥＣスタート１００，「映像シーン１」を識別するシーンＩＤ１０２，Ｉｎ点を示すＩＮ１０４，場面のハイライトシーンを示すハイライト１０６，Ｏｕｔ点を示すＯＵＴ１０８と電子マークデータが記録媒体１４のＡＵＸ信号フィールド８３における「ユーザデータ」部の「電子マーク」部に記録される。
【０１５０】
電子マークデータが記述されるのと同期して，「ＴＣ１」，「ＴＣ２」，・・・，「ＴＣ４」とタイムコードデータが，記録媒体１４のタイムコードトラックＴＣに記録される。
【０１５１】
なお，シーン識別子とは，映像コンテンツデータに構成される映像シーンを識別するためのユニークである番号，記号などの総称をいい，例えば，シーンＩＤなどがあげられる。
【０１５２】
図１０に示すように，「映像シーン２」についても，映像シーン２を識別するシーンＩＤ１１０，記録開始を示すＲＥＣスタート１１２，Ｏｕｔ点（編集終了点）であるＯＵＴ１１６，または見せ場であるハイライト１１４とそれぞれの電子マークデータが，適当である該当個所に記述される。
【０１５３】
さらに，「映像シーン２」についても，電子マークデータの記述と同期して，タイムコードデータである「ＴＣ５」，「ＴＣ６」，「ＴＣ７」とが，記録媒体１４に記録される。
【０１５４】
図１０に示すように，ＲＥＣスタート１００，ＩＮ１０４などの電子マークテキストデータに登録されるテキストデータは，撮影する状況に応じて，予め登録することは可能であり，記述されたテキストデータを変更することも可能である。例えば，野球のホームランの映像シーンを示す「ホームラン」の電子マークテキストデータを登録または他の電子マークテキストデータを「ホームラン」に変更することも可能である。
【０１５５】
また，図１１に示すように，電子マークデータを記録媒体１４と，例えば編集者端末装置４の記憶装置２０など別の記録媒体とに分散して記録することも可能である。図１１は，本実施の形態にかかる電子マークデータが記憶装置２０および記録媒体１４に記述された場合の記憶装置２０および記録媒体１４を示す説明図である。
【０１５６】
図１１に示すように，「映像シーン１」および「映像シーン２」において，再生方向に，記録媒体１４は，撮影開始後，属性マークデータの「映像シーン１」を識別するシーンＩＤ１０２および「映像シーン２」を識別するシーンＩＤ１１０と，映像コンテンツデータと同期してタイムコードデータ（「ＴＣ１」，「ＴＣ２」，・・・，「ＴＣ７」）とが記録される。なお，電子マークテキストデータは，記録媒体１４には記述されない。
【０１５７】
図１１に示すように，記憶装置２０には，撮影開始後，電子マークデータの記録媒体１４への記述に従い，属性マークデータのシーンＩＤ１０２およびシーンＩＤ１１０と，電子マークテキストデータであるＲＥＣスタート１００，ＩＮ１０４，ハイライト１０６，ＯＵＴ１０８，ＲＥＣスタート１１２，ハイライト１１４，およびＯＵＴ１１６と，記録媒体１４と同期して記述されるタイムコードデータ（「ＴＣ１」，「ＴＣ２」，・・・，「ＴＣ７」）とから構成される電子マークデータ一覧１２０が記録される。なお，電子マークデータ一覧１２０は，後述する電子マークリストデータなど，電子マークデータに基づいて作成されるリストデータの総称である。
【０１５８】
図１１に示すように，記憶装置２０には，映像シーンごとに，「ＲＥＣスタート」などからなる電子マークテキストデータ，「シーンＩＤ」などから構成される属性マークデータ，およびタイムコードである「ＴＣ」を構成要素として，グループ化されて記録装置２０に記録される。
【０１５９】
電子マークデータ一覧１２０に記録された属性マークデータおよび電子マークテキストデータからなる電子マークデータと，電子マークデータに同期したタイムコードデータとを索引として，電子マークデータ一覧１２０に記録される該当する映像シーンを検索可能であり，記録媒体１４に記録されたタイムコードデータおよび属性マークデータから直接，記録媒体１４に記録された映像シーンを検索することも可能である。
【０１６０】
（３．  映像コンテンツ編集支援システムにおける動作説明）
次に，上記のように構成された映像コンテンツ編集支援システムの動作の実施形態について説明する。
【０１６１】
（３．１  撮像装置２による記録処理）
次に，図３および図１２を参照しながら，撮像装置２による記録（記述）処理について説明する。図１２は，本実施の形態にかかる映像コンテンツ編集支援システムの撮像装置による撮影の記録処理を示すフローチャートである。
【０１６２】
まず，被写体を撮影するために，撮像装置２の操作スイッチ部３２から電源が入力状態になり，また設定スイッチ４０を操作することにより，記録媒体１４のメディアＩＤ，映像コンテンツのシーンＩＤ，または撮影時間（タイムコード）など記録媒体１４に記述するデータの設定が行われる。
【０１６３】
上記設定によりデータ信号発生部４１にて，タイムコードデータＤＴとユーザデータＤＵが生成される。このタイムコードデータＤＴとユーザデータＤＵは，それぞれタイムコードデータ保持部４２とユーザデータ保持部４３に保持されて，保持されたデータはタイムコードデータ保持部４２とユーザデータ保持部４３から出力される。
【０１６４】
また，設定スイッチ４０が操作されて映像シーンを識別するシーンＩＤである属性マークデータや，撮影日付，撮影場所など映像コンテンツと関連する電子マークテキストデータを記述（記録）するモードが選択されると，データ信号発生部４１は，データ信号発生部４１に備えられたＧＰＳ部（図示せず）の位置情報信号などに基づいて，属性マークデータＤＺと電子マークテキストデータＤＭを生成する。
【０１６５】
属性マークデータＤＺと電子マークテキストデータＤＭは，各属性マークデータ保持部７８または電子マークテキストデータ保持部４５に保持されて，保持されたデータは，属性マークデータ保持部７８または電子マークテキストデータ保持部４５から出力される。
【０１６６】
図１２に示すように，編集者端末装置４に記録状態を示すＶＴＲステータス信号を送信して，操作スイッチ部３２が操作されて撮影の記録処理が開始される（Ｓ１２０２）と，動作制御部３３から出力されるモータ制御信号ＭＣに基づき記録（記述）状態であれば（Ｓ１２０４），モータ制御部３４により，モータ駆動信号ＭＤが，キャプスタンモータ３５およびドラムモータ３６に伝送されて，記録媒体１４のテープ走行が開始されると共に回転ヘッド部３７が回転する。
【０１６７】
また，記録（記述）状態である場合（Ｓ１２０４），動作制御部３３から出力された記録動作を示すモード信号ＭＳに基づいてデジタル信号記録部７１から記録信号が回転ヘッド部３７に伝送される。
【０１６８】
回転ヘッド部３７は，電子マークデータが生成された場合は電子マークデータを記述して，記述された映像コンテンツデータである記録信号を，図６に示すヘリカルトラック８２に記録する（Ｓ１２０６）。映像コンテンツデータの記録（記述）処理（Ｓ１２０６）は，記録（記述）状態（Ｓ１２０４）である間，継続して記録処理が行われる。なお，電子マークデータを映像コンテンツデータに記述する処理については後程後述する。
【０１６９】
さらに，記録信号は，制御装置７６に伝送されて，編集者端末装置４が表示可能な映像コンテンツデータとして，通信部７５を介して，編集者端末装置４へ伝送される（Ｓ１２０８）。なお，伝送する際に，映像コンテンツデータを圧縮などして低解像度の映像コンテンツデータに変換して伝送することも実施可能である。
【０１７０】
（３．２  撮像装置２による属性マークデータが記述される記述処理）
次に，図３および図１３を参照しながら，撮像装置２による属性マークデータの記述処理について説明する。図１３は，本実施の形態にかかる映像コンテンツ編集支援システムにおける属性マークデータの記述処理のフローチャートである。
【０１７１】
まず図１２に示すように，上記記載の映像コンテンツデータの記録をする記録処理（Ｓ１２０６）において，属性マークデータの記述処理が実行される。
【０１７２】
図１３に示すように，撮影が開始されて記述（記録）動作を示すモード信号ＭＳがモノマルチ４７に伝送されると，モノマルチ４７から所定時間ハイレベル「Ｈ」のモードタイミング信号ＭＴが出力されて記録動作開始となる（Ｓ１３０２）。
【０１７３】
記録動作開始（Ｓ１３０２）となると，データ信号発生部４１で属性マークデータＤＺが生成されて（Ｓ１３０４），属性マークデータ保持部７８により，属性マークデータＤＺは保持される。また，モードタイミング信号ＭＴにより，信号切換スイッチ４９の可動端子は，モードタイミング信号ＭＴがハイレベル「Ｈ」の間，端子ｂとなる。
【０１７４】
マーカボタン５０が操作されていない場合は，モノマルチ５１から出力されるマーク信号ＧＷの信号レベルはローレベル「Ｌ」であるので，信号切換スイッチ７７の可動端子は端子ａ側とされて，映像シーンの識別をするシーンＩＤの属性マークデータＤＺが信号変調部５３に伝送される。
【０１７５】
また，記録動作を示すモード信号ＭＳが記録部５４に伝送されるので，更新されたタイムコードデータＤＴと属性マークデータＤＺに基づいて生成された記録信号ＷＳが固定ヘッド５５および回転ヘッド部３７に伝送されて，記録媒体１４は，図６および図８に示すように，タイムコードトラックＴＣにタイムコードデータＤＴが更新されながら記述（記録）される。さらに，ヘリカルトラック８２のＡＵＸ信号フィールドに構成する「ユーザデータ」部に，映像シーンの識別をする「シーンＩＤ」である属性マークデータＤＺが記述（記録）される（Ｓ１３０６）。
【０１７６】
記録信号ＷＳを受信した記録部５４は，属性マークデータを編集者端末装置４へ伝送するために，制御装置７６へ，記録信号ＷＳを伝送する。属性マークデータは，図４に示すようにＫＬＶ符号化されて，通信部７５を介して編集者端末装置４へ伝送される（Ｓ１３０８）。
【０１７７】
属性マークデータは，映像シーンを識別するメタデータであることから，記録媒体１４および編集者端末装置４の記憶装置２０に記述（記録）されることで，編集者端末装置４から記録媒体１４に存在する目的の映像シーンを特定する際の，参照データの役割を果たす。
【０１７８】
（３．３  撮像装置２による電子マークテキストデータが記録される記録処理）
次に，図１４を参照しながら，撮像装置２による電子マークテキストデータの記述処理について説明する。図１４は，本実施の形態にかかる映像コンテンツ編集支援システムの撮像装置による電子マークテキストデータの記述処理を示すフローチャートである。
【０１７９】
まず図１２に示すように，上記記載の映像コンテンツデータの記録をする記録状態（Ｓ１２０４）の間，電子マークテキストデータの記述処理は，マーカボタン５０が操作されることにより実行される。
【０１８０】
次に、図１４に示すように，上記記録状態時（Ｓ１２０４）に，記録動作を示すモード信号ＭＳがモノマルチ４７に伝送されると，モノマルチ４７から所定時間ハイレベル「Ｈ」のモードタイミング信号ＭＴが出力されて，データ信号発生部４１で電子マークテキストデータＤＭが生成される（Ｓ１４０２）。
【０１８１】
マーカボタン５０に構成される「ＲＥＣスタート」ボタン（図示せず）が押される（Ｓ１４０４）と，モノマルチ５１から出力されるマーク信号ＧＷは所定時間ハイレベル「Ｈ」になるので，信号切換スイッチ７７の可動端子は端子ｂ側となる。またマーク信号ＧＷが所定時間ハイレベル「Ｈ」とされるので，信号ＭＲも所定時間ハイレベル「Ｈ」となり，信号切換スイッチ４９の可動端子は端子ｂ側になる。
【０１８２】
したがって，信号変調部５３には「ＲＥＣスタート」からなる電子マークテキストデータＭＤが伝送される。記録データ信号ＷＴを受信した記録部５４は，固定ヘッド５５に，記録信号ＷＴを伝送して，さらに記録信号ＷＳを，制御装置７６に伝送する。
【０１８３】
「ＲＥＣスタート」からなる電子マークテキストデータＭＤおよびタイムコードデータＤＴから構成される記録信号ＷＳを受信した制御装置７６は，通信部７５に，電子マークテキストデータおよびタイムコードデータを送信する。
【０１８４】
通信部７５は，受信した「ＲＥＣスタート」からなる電子マークテキストデータおよび電子マークテキストデータに同期するタイムコードデータをそれぞれ図５に示すように，ＫＬＶ符号化して，編集者端末装置４へ伝送する（Ｓ１４０６）。
【０１８５】
また，この記録動作中，例えばビデオカメラで撮影中に「ハイライト」場面など，重要な場面の場合に，マーカボタン５０に備わる，「ハイライト」ボタン（図示せず）が操作される（Ｓ１４０４）と，上記記載のように，操作されたマーカボタン５０の種類に応じたテキストデータ（「ハイライト」）からなる電子マークテキストデータが，編集者端末装置４に，図５に示すように，ＫＬＶ符号化されて伝送される（Ｓ１４０６）。
【０１８６】
なお，音声で「ハイライト」と音声マイク変換部７９に入力して，「ハイライト」と音声マイク変換部７９が認識して，マーカボタン５０に備わる「ハイライト」ボタンを操作する（図示せず）と同様に，「ハイライト」の電子マークテキストデータを生成する操作信号ＳＧを生成することもできる。
【０１８７】
撮影の記録処理が終了すると，映像コンテンツデータが記録された記録媒体１４は，例えば，図１１に示すように，「映像シーン１」および「映像シーン２」から構成される映像コンテンツデータが記録される。
【０１８８】
また図１１に示すように，「映像シーン１」，「映像シーン２」ごとに記録処理開始と同時に属性マークデータであるシーンＩＤ１０２およびシーンＩＤ１１０と，「ＴＣ１」，「ＴＣ２」をはじめとするタイムコードデータが，映像コンテンツデータに記述されて，ほぼ同時に記憶装置２０を備える編集者端末装置４へ属性マークデータおよびタイムコードデータが伝送される。
【０１８９】
さらに図１１に示すように，マーカボタン５０または音声マイク変換部７９を操作することにより発生した「ＩＮ」，「ハイライト」などの電子マークテキストデータは，編集者端末装置４の記憶装置２０に記述されて，記述された電子マークテキストデータに同期するタイムコードについても，編集者端末装置４の記憶装置２０に記述される。
【０１９０】
本実施の形態では，図１１に示すように，電子マークテキストデータが記録媒体１４に記録されず，編集者端末装置４などの別の記録媒体に記録される例を示したが，かかる例に限定されずに，図１０に示すように，電子マークテキストデータおよび属性マークデータから構成される電子マークデータを分散せずに記録媒体１４に記述することも実施可能である。
【０１９１】
（３．４  編集者端末装置４による電子マークデータの受信処理）
次に，図２および図１５を参照しながら，編集者端末装置４による電子マークデータの受信処理について説明する。図１５は，本実施の形態にかかる編集者端末装置による電子マークデータの受信処理を示すフローチャートである。
【０１９２】
まず，図１５に示すように，撮像装置２による撮影処理の開始前に，編集者端末装置４の電源をオンにして，電子マークデータを受信できるように，撮像装置２が記録する記録媒体１４を識別するメディアＩＤなどを事前に設定しておく。
【０１９３】
次に，撮像装置２により記録状態のＶＴＲステータス信号が送信されて，撮影処理が開始されると，撮像装置２から映像コンテンツデータが伝送されて，通信部２１により受信して（Ｓ１５０２），映像コンテンツデータが表示部２２に表示される。
【０１９４】
記録処理過程において，撮像装置２により電子マークデータが記述されると，撮像装置２からＫＬＶ符号化された電子マークデータが編集者端末装置４に伝送されて，通信部２１によりＫＬＶ符号化された電子マークデータを受信する（Ｓ１５０４）。
【０１９５】
受信するＫＬＶ符号化された電子マークデータは，ＣＰＵ２３により，属性マークデータまたは電子マークテキストデータであるかを判断されて（Ｓ１５０６），属性マークデータの場合で記憶装置２０に格納された同一の属性マークデータが存在しない場合は，電子マークリストデータに構成するシーンＩＤブロックデータ作成処理を行う（Ｓ１５０８）。
【０１９６】
同一の属性マークデータが存在または電子マークテキストデータである場合は，電子マークリストデータのシーンＩＤブロックデータの更新処理を行う（Ｓ１５１０）。なお，本実施の形態にかかるシーンＩＤブロックデータおよび電子マークリストデータについては，後述する。
【０１９７】
次に，電子マークリストデータ作成（Ｓ１５０８）または電子マークリストデータ更新（Ｓ１５１０）が終了すると，撮像装置２が記録状態であるかをＶＴＲステータス信号などにより判断して（Ｓ１５１２），記録状態である場合は，映像コンテンツデータの受信（Ｓ１５０２）を継続して，記録状態ではなく撮影が終了している場合は，表示部２２に表示される編集画面１７００に基づいて編集処理をする（Ｓ１５１４）。なお，本実施の形態にかかる表示部２２に表示される編集画面１７００については後程後述する。
【０１９８】
次に，編集画面１７００に基づいて映像コンテンツデータの編集処理（Ｓ１５１４）が終了すると，本編集において，編集に必要とされる映像シーン（例えば，Ｉｎ点からＯｕｔ点まで）のタイムコードなどが記録された編集情報データを作成する（Ｓ１５１６）。なお，本実施の形態にかかる編集情報データについては後程詳述する。
【０１９９】
（３．５  電子マークリストデータの作成処理または更新処理）
ここで，図１５および図１６を参照しながら，電子マークリストデータの作成処理または更新処理について説明する。図１６は，本実施の形態にかかる電子マークリストデータを示す説明図である。
【０２００】
まず図１５に示すように，ＫＬＶ符号化された属性マークデータを受信（Ｓ１５０６）すると，ＣＰＵ２３は，図４に示す属性マークデータである「素材番号」を抽出して，記憶装置２０に格納された電子マークリストデータから同一の属性マークデータが存在するか検索する。
【０２０１】
（３．５．１  電子マークデータリストの作成処理）
次に，図１５に示すように，同一の属性マークデータが存在しない場合，電子マークリスト作成部２８は，電子マークリストデータの作成を行う（Ｓ１５０８）。
【０２０２】
ここで，電子マークリストデータ１６００は，図１６に示すように，読書き可能な記憶装置２０に記憶されており，撮像装置２により記録処理されている記録媒体１４を識別する１または２以上からなるメディアＩＤブロックデータ１６０２と，映像シーンを識別する１または２以上からなるシーンＩＤブロックデータ１６０３と，１または２以上からなるテキストブロックデータ１６０４とから構成される。
【０２０３】
編集者端末装置４から，映像コンテンツデータを最初に受信する場合は，電子マークリストデータ１６００には，データが存在せず，映像コンテンツデータを受信する際に，まず撮像装置２が使用する記録媒体１４のメディアＩＤであるメディアＩＤブロックデータ１６０２を作成する。
【０２０４】
なお，メディアＩＤは，予め撮像装置２により記録媒体１４に登録しておくことが可能であることから，映像コンテンツデータを受信する設定時にメディアＩＤブロックデータ１６０２を作成せずに実施することも可能である。さらに，メディアＩＤに追加情報として記録媒体１４の保管場所などのテキストデータを登録することも可能である。
【０２０５】
同じメディアＩＤについては，メディアＩＤブロックデータ１６０２に，順次シーンＩＤブロックデータ１６０２およびテキストブロックデータ１６０４が追加されていく。
【０２０６】
次に，電子マークリストデータの作成処理について，受信されたＫＬＶ符号化の属性マークデータは，電子マークリスト作成部２８により，図４に示す「素材番号」に格納された「シーンＩＤ」が抽出される。
【０２０７】
次に，映像シーンを識別する「シーンＩＤ」に基づいて，電子マークリスト作成部２８は，予め設定されたメディアＩＤに該当するメディアＩＤブロックデータ１６０２にシーンＩＤブロックデータ１６０３を新規に作成する。
【０２０８】
したがって，新規作成直後のシーンＩＤブロックデータ１６０３には，電子マークテキストデータが受信されるまでテキストブロックデータ１６０４は存在しない。
【０２０９】
（３．５．２  電子マークリデータリストの更新処理）
次に，図１５に示すように，属性マークデータ以外の，ＫＬＶ符号化された電子マークテキストデータまたはタイムコードデータを，通信部２１を介して受信した場合，電子マークリスト作成部２８は，電子マークリストデータの更新処理を行う（Ｓ１５１０）。
【０２１０】
まず，電子マークリストデータの更新処理について，電子マークリスト作成部２８は，ＫＬＶ符号化された電子マークテキストデータまたはタイムコードデータから，図５に示す「Ｖａｌｕｅ」部に格納されたテキストデータまたはタイムコードデータを抽出する。
【０２１１】
なお，抽出されたテキストデータが，“ハイライト”など，特に重要と思われる内容である場合，電子マークリスト作成部２８は，表示部２２の画面を点滅させるなど注目されるように，ＣＰＵ２３に対して命令することも実施可能である。したがって，撮像装置２から編集者端末装置４に対して所定の電子マークデータを送信することにより，編集者端末装置４を制御することが可能となる。
【０２１２】
次に，電子マークリスト作成部２８は，直近に作成されたシーンＩＤブロックデータ１６０３に，テキストブロックデータ１６０４を追加して，上記抽出されたテキストデータまたはタイムコードデータを，追加されたテキストブロックデータ１６０４に更新する。
【０２１３】
テキストブロックデータ１６０４は，抽出されたテキストデータまたはテキストデータと同期するタイムコードを１組として構成して，テキストブロックデータ１６０４は，テキストデータおよびタイムコードの受信毎に作成される。
【０２１４】
なお，本実施の形態にかかるテキストブロックデータ１６０４は，編集者端末装置４に受信された受信順に作成される場合を例にあげて説明したが，かかる例に限定されず，受信されたテキストデータの種類順に作成することも実施可能である。
【０２１５】
また，本実施の形態にかかるテキストブロックデータ１６０４は，テキストデータおよびタイムコードデータを１組として構成される場合を例にあげて，説明したが，かかる例に限定されず，例えば，テキストデータの種類ごとに，タイムコードデータを同じ種類のテキストデータに追加格納することも実施可能である。
【０２１６】
また，本実施の形態では，記録処理時において，撮像装置２から電子マークテキストデータまたはタイムコードデータを，リアルタイムに受信して，テキストブロックデータ１６０４を作成する場合を例にあげて説明したが，かかる例に限定されず，例えば，記録処理終了後に，撮像装置２から，記録された属性マークデータ，電子マークテキストデータ，およびタイムコードデータを一括して，まとめて受信することも実施可能である。
【０２１７】
（３．６  編集者端末装置４に表示される編集画面１７００について）
ここで，図１７を参照しながら，本実施の形態にかかる編集画面１７００について説明する。図１７は，本実施の形態にかかる映像コンテンツ編集支援システムの編集者端末装置に表示される編集画面の表示例を示す説明図である。
【０２１８】
図１７に示すように，表示部２２に表示される編集画面１７００は，撮像装置２からリアルタイムに送信または記憶装置２０に記憶されている映像コンテンツデータを表示する映像画面部１７０１と，電子マークデータであるテキストデータなどが表示される編集画面部１７１０と，目的の映像シーンを検索する検索部１７０４とから構成される。
【０２１９】
また，映像画面部１７０１は，映像コンテンツデータが表示される映像画面１７０２と，電子マークテキストデータを撮像装置２の記録媒体１４に記述させるための電子マークテキストボタン１７４４（１７４４ａ，１７４４ｂ，１７４４ｃ，１７４４ｄ）とから構成される。なお，電子マークテキストボタン１７４４は，編集画面１７００では，４個のボタンから構成されるが，かかる例に限定されず，１または２以上からなる任意のボタンを構成して実施することができる。
【０２２０】
また，編集画面部１７１０は，属性マークデータまたは電子マークテキストデータから構成される電子マークが記録された映像シーンを代表する画像フレームを表示する画像表示画面（１７１２，１７１４，１７１６，１７１８，１７１９）と，電子マークの内容を表示するマーク表示部（１７２０，１７２２，１７２４，１７２６，１７２８）とから構成される。
【０２２１】
なお，本実施の形態にかかる編集画面部１７１０は，画像表示画面およびマーク表示部が，４画面ずつ画面表示されているが，かかる例に限定されず，例えば，１０画面ずつ表示することも可能である。
【０２２２】
マーク表示部（１７２０，１７２２，１７２４，１７２６，１７２８）は，記録媒体を識別する「メディアＩＤ」と，映像シーンを識別する「シーンＩＤ」と，電子マークテキストデータの「テキストデータ」と，タイムコードである「ＴＣ」とから構成される。
【０２２３】
例えば，マーク表示部１７２０は，「メディアＩＤ」が“ＡＢＣ”と，「シーンＩＤ」が“１１１１３”と，「テキストデータ」が“ＲＥＣスタート”と，「ＴＣ」が“０１：１２：２５”と表示されている。
【０２２４】
また，「テキストデータ」を変更することは可能であり，“ＲＥＣスタート”から“ハイライトＮｏ１”，“Ｆｉｒｓｔ  Ｉｎ”など，「テキストデータ」を変更することが可能である。
【０２２５】
また，マーク表示部１７２２の「テキストデータ」に表示された“Ｅ１４０−３９−２  Ｎ４１−４０−６”は，撮像装置２に備わるＧＰＳにより測位された撮影場所を示している。つまり，「東経１４０度３９分２秒，北緯４１度４０分６秒」を表している。なお，本実施の形態では，緯度および経度の表示がされる場合を例にあげて説明したが，かかる例に限定されず，高度を表示することも可能であり，緯度，経度，または高度を組合わせて表示することも実施可能である。
【０２２６】
また，マーク表示部（１７２０，１７２２，１７２４，１７２６，１７２８）には，電子マークテキストボタン１７４４，マーカボタン５０，または音声マイク変換部７９のうちいずれかが操作されることにより記述された電子マークデータが表示されて，さらに画像表示画面（１７１２，１７１４，１７１６，１７１８，１７１９）には，電子マークデータが記述された位置と同期する映像コンテンツデータの画像が，それぞれリアルタイムで表示される。
【０２２７】
本編集前の粗編集である編集処理は，編集画面部１７１０に表示されるマーク表示部（１７２０，１７２２，１７２４，１７２６，１７２８）に基づいて，映像シーンの特徴を把握して，本編集の際に必要となる映像シーンの取捨選択（Ｌｏｇｇｉｎｇ）する。
【０２２８】
つまり，マーク表示部（１７２０，１７２２，１７２４，１７２６，１７２８）に表示されるテキストデータは，何か出来事のあった特徴のある場合に記述されることから，編集画面部１７１０に表示される画像表示画面（１７１２，１７１４，１７１６，１７１８，１７１９）に注目することによりＬｏｇｇｉｎｇの編集作業が効率的に実施できる。
【０２２９】
また例えば，画像表示画面１７１６に表示された画像は，マーク表示部１７２６にテキストデータの内容が「ハイライト」と表示されている。したがって，映像シーン（「シーンＩＤ  １１１１３」）の見せ場として使用することが容易に把握できる。
【０２３０】
さらに，マーク表示部（１７２０，１７２２，１７２４，１７２６，１７２８）に表示されるテキストデータの内容から，映像シーンの内容を把握して，再度，映像シーンの確認をしたい場合は，マーク表示部（１７２０，１７２２，１７２４，１７２６，１７２８）に表示される「テキストデータ」または「タイムコード」などを選択することにより，記憶装置２０に記憶されている映像コンテンツデータまたは撮像装置２の記録媒体１４に記録された映像コンテンツデータから，指定された「テキストデータ」または「タイムコード」に対応した映像シーンにキューアップできる。
【０２３１】
また，映像コンテンツデータに記述された電子マークデータの存在位置である編集点（キュー点）を変更して，画像表示画面（１７１２，１７１４，１７１６，１７１８，１７１９）に表示される画像を変更することも可能である。
【０２３２】
変更する場合，画像表示画面（１７１２，１７１４，１７１６，１７１８，１７１９）に表示される画像などを選択することにより，記憶装置２０に記録された映像コンテンツデータから映像シーンを映像画面１７０２に表示させて，電子マークデータの編集点（キュー点）を変更することが可能である。
【０２３３】
したがって，「テキストデータ」が「ＩＮ」（Ｉｎ点）または「ＯＵＴ」（Ｏｕｔ点）である画像表示画面（１７１２，１７１４，１７１６，１７１８，１７１９）に表示される画像を映像画面１７０２に表示させて，編集点を変更することにより，編集者端末装置４の編集画面１７００から，直接その他の編集装置を使用することなく，使用される映像シーンを抽出する（Ｉｎｇｅｓｔｉｎｇ）粗編集作業を効率的に行うことができる。
【０２３４】
なお，変更後の「テキストデータ」または編集点などの変更情報を，ネットワーク１６を介して，編集者端末装置４から撮像装置２に伝送することにより，記録媒体１４に記述された「テキストデータ」または電子マークデータの編集点（キュー点）を変更することも実施可能である。
【０２３５】
また，検索部１７０４に構成する検索入力１７０６に目的とする「テキストデータ」をキーワードとして入力して，ボタン１７０８をマウスのクリックなどで選択して実行すると，キーワードに該当する電子マークデータを，記憶装置２０に記憶された電子マークリストデータ１６００から検索を行うことができる。
【０２３６】
さらに，検索の結果，一致する電子マークデータおよび該当する画像を，マーク表示部（１７２０，１７２２，１７２４，１７２６，１７２８）および画像表示画面（１７１２，１７１４，１７１６，１７１８，１７１９）にそれぞれ表示することができる。
【０２３７】
したがって，本編集に必要となりそうな映像シーンまたは画像の特徴を，電子マークテキストデータのテキストデータをキーワードとして検索することにより，該当するキーワードに一致した目的の映像シーンまたは画像を容易に選択することが可能となる。
【０２３８】
（３．７  編集情報データについて）
ここで，編集情報データについて説明すると，編集情報データは，ＥＤＬ（Ｅｄｉｔ  Ｄｅｃｉｓｉｏｎ  Ｌｉｓｔ）などの映像シーンの編集位置がタイムコードデータに基づいて記録されており，上記編集情報データに基づいて，マスタとなる記録媒体１４に記録された映像コンテンツデータのオンライン編集などによる本編集作業を行う。
【０２３９】
上記編集情報データは，図１に示すメモリスティックなどの記録媒体１２に記憶させて，本編集作業に使用するオンライン編集装置（図示せず）により記録媒体１２に記憶された編集情報データを読み取ることが可能である。なお，記録媒体１２を使用せずにネットワークを介して編集情報データをオンライン編集装置に送信することも可能である。
【０２４０】
編集者端末装置４により，撮像装置２から記録処理中に並行して，Ｌｏｇｇｉｎｇなどの粗編集を行い，粗編集終了後，本編集のための編集情報データを作成することが可能となる。したがって，撮影終了後，改めて，ＶＴＲの再生処理などにより，本編集に必要な映像シーンを確認する必要がなくなり，編集作業の処理効率の向上が図れる。
【０２４１】
さらに，「テキストデータ」に設定されたテキストに基づいて，本編集に必要となる映像シーンのキーワードを設定することにより，キーワードに該当した，目的とする映像シーンを見つけ出す，映像シーンの選択処理の効率が改善される。
【０２４２】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【０２４３】
上記実施形態においては，撮像装置２により，電子マークデータの記述が行われる場合を例にあげて説明したが，電子マークデータを記述するためのマーカボタン５０などの入力装置，電子マークデータを記述する記録部５４などを備えることにより，かかる例に限定されない。例えば，編集者端末装置４にマーカボタン５０および記録部５４などを備えることにより，撮像装置２により撮影された映像コンテンツデータを編集者端末装置４が受信して，記録媒体に映像コンテンツデータを記録しながら，映像コンテンツデータに電子マークデータを記述することも実施可能である。
【０２４４】
また上記実施形態においては，記録媒体１４は磁気テープの場合を例にあげて説明したが，映像コンテンツデータを記録できる媒体であれば，かかる例に限定されない。例えば，磁気ディスクなどの媒体であっても実施可能である。
【０２４５】
また上記実施形態においては，ＧＰＳを備えて撮影場所の情報を電子マークテキストデータに記録する場合を例にあげて説明したが，かかる例に限定されず，例えば，撮像装置２のズームの倍率など，撮像装置２の動作情報を電子マークテキストデータに記録して実施することも可能である。
【図面の簡単な説明】
【０２４６】
【図１】図１は，本実施の形態にかかる映像コンテンツ編集支援システムの概略的な構成を示すブロック図である。
【図２】図２は，本実施の形態にかかる映像コンテンツ編集支援システムの撮像装置の概略的な構成を示すブロック図である。
【図３】図３は，本実施の形態にかかる映像コンテンツ編集支援システムの編集者端末装置の概略的な構成を示すブロック図である。
【図４】図４は，本実施の形態にかかる映像コンテンツ編集支援システムの符号化されたＵＭＩＤデータのフォーマットの一例を示す説明図である。
【図５】本実施の形態にかかる映像コンテンツ編集支援システムの符号化された電子マークテキストデータのフォーマットの一例を示す説明図である。
【図６】本実施の形態にかかる映像コンテンツ編集支援システムの記録媒体の概略的な構造を示す説明図である。
【図７】本実施の形態にかかる映像コンテンツ編集支援システムの記録媒体におけるタイムコードトラックに記録されるタイムコードのフォーマットの一例を示す説明図である。
【図８】本実施の形態にかかる映像コンテンツ編集支援システムの記録媒体におけるヘリカルトラックのＡＵＸ信号フィールドの概略的な構成を示す説明図である。
【図９】本実施の形態にかかる映像コンテンツ編集支援システムの記録媒体におけるヘリカルトラックのＡＵＸ信号フィールドのユーザデータ部の概略的な構成を示す説明図である。
【図１０】本実施の形態にかかる映像コンテンツ編集支援システムの電子マークデータが記述された記録媒体の概略的な構成を示す説明図である。
【図１１】本実施の形態にかかる映像コンテンツ編集支援システムの電子マークデータが記述された記録媒体の概略的な構成を示す説明図である。
【図１２】本実施の形態にかかる映像コンテンツ編集支援システムの撮像装置による撮影の記録処理を示すフローチャートである。
【図１３】本実施の形態にかかる映像コンテンツ編集支援システムの撮像装置による属性マークデータの記述処理を示すフローチャートである。
【図１４】本実施の形態にかかる映像コンテンツ編集支援システムの撮像装置による電子マークテキストデータの記述処理を示すフローチャートである。
【図１５】本実施の形態にかかる映像コンテンツ編集支援システムの編集者端末装置による電子マークデータの受信処理を示すフローチャートである。
【図１６】本実施の形態にかかる映像コンテンツ編集支援システムの電子マークリストデータの概略的な構造を示す説明図である。
【図１７】本実施の形態にかかる映像コンテンツ編集支援システムの編集者端末装置に表示される編集画面の表示例を示す説明図である。
【符号の説明】
【０２４７】
２    ：撮像装置
４    ：編集者端末装置
１４  ：記録媒体
１６  ：ネットワーク
【図１】
2006074800.tif 000003
【図２】
2006074800.tif 000004
【図３】
2006074800.tif 000005
【図４】
2006074800.tif 000006
【図５】
2006074800.tif 000007
【図６】
2006074800.tif 000008
【図７】
2006074800.tif 000009
【図８】
2006074800.tif 000010
【図９】
2006074800.tif 000011
【図１０】
2006074800.tif 000012
【図１１】
2006074800.tif 000013
【図１２】
2006074800.tif 000014
【図１３】
2006074800.tif 000015
【図１４】
2006074800.tif 000016
【図１５】
2006074800.tif 000017
【図１６】
2006074800.tif 000018
【図１７】
2006074800.tif 000019
【手続補正書】
【提出日】平成17年10月12日(2005.10.12)
【手続補正１】
【補正対象書類名】特許請求の範囲
【補正対象項目名】全文
【補正方法】変更
【補正の内容】
【特許請求の範囲】
【請求項１】
映像コンテンツデータを記録媒体に記録する記録装置と，前記記録装置から伝送される前記映像コンテンツデータを編集する編集装置と，前記記録装置および前記編集装置を相互に接続するネットワークとから成る映像コンテンツ編集支援システムにおいて：
前記記録装置は，前記映像コンテンツデータに関連する電子マークテキストデータを前記映像コンテンツデータとともに記録する記録部を備え，
前記編集装置は，前記電子マークテキストデータはＫｅｙ部とＶａｌｕｅ部とを有しており，前記Ｋｅｙ部には，電子マークテキストデータであることを識別する識別子として定義されている所定のコードが記入され，前記Ｖａｌｕｅ部には，撮影する状況に応じて予め登録されたテキストデータが記入された前記電子マークテキストデータを検索するためにテキストデータを入力する検索部と，
前記検索部に入力されたテキストデータに該当する前記電子マークテキストデータを表示する表示部と，
を備え，
前記表示部に表示された検索結果を選択することにより対応する映像コンテンツデータを選択することが可能であることを特徴とする，映像コンテンツ編集支援システム。
【請求項２】
前記記録部は，前記映像コンテンツデータと，前記電子マークテキストデータとを，ほぼ実時間に記録することを特徴とする，請求項１に記載の映像コンテンツ編集支援システム。
【請求項３】
前記映像コンテンツデータの見出し情報は，前記映像コンテンツデータに含まれる映像シーンの見出し情報であることを特徴とする，請求項１に記載の映像コンテンツ編集支援システム。
【請求項４】
前記電子マークテキストデータは，前記映像コンテンツデータに含まれる前記映像シーンの特徴，撮影場所，もしくは撮影日時のうち少なくともいずれか一つまたは任意の組合わせをテキストデータにより記述されることを特徴とする，請求項１に記載の映像コンテンツ編集支援システム。
【請求項５】
前記記録部は，前記電子マークテキストデータを前記記録媒体におけるヘリカルトラックに記録することを特徴とする，請求項１に記載の映像コンテンツ編集支援システム。
【請求項６】
前記電子マークテキストデータは，入力される音声に基づいて生成されることを特徴とする，請求項１に記載の映像コンテンツ編集支援システム。
【請求項７】
映像コンテンツデータを編集する編集装置において：
前記映像コンテンツデータに関連するデータであって，Ｋｅｙ部とＶａｌｕｅ部とを有しており，前記Ｋｅｙ部には，電子マークテキストデータであることを識別する識別子として定義されている所定のコードが記入され，前記Ｖａｌｕｅ部には，撮影する状況に応じて予め登録されたテキストデータが記入された前記電子マークテキストデータを検索するためにテキストデータを入力する検索部と，
前記検索部に入力されたテキストデータに該当する前記電子マークテキストデータを表示する表示部とを備え，
前記表示部に表示された検索結果を選択することにより対応する映像コンテンツデータを選択することが可能であることを特徴とする，編集装置。
【請求項８】
前記映像コンテンツデータの見出し情報は，前記映像コンテンツデータに含まれる映像シーンの見出し情報であることを特徴とする，請求項７に記載の編集装置。
【請求項９】
前記電子マークテキストデータは，前記映像コンテンツデータに含まれる前記映像シーンの特徴，撮影場所，もしくは撮影日時のうち少なくともいずれか一つまたは任意の組合わせをテキストデータにより記述されることを特徴とする，請求項７に記載の編集装置。
【請求項１０】
前記電子マークテキストデータは，入力される音声に基づいて生成されることを特徴とする，請求項７に記載の編集装置。
【請求項１１】
コンピュータをして請求項７〜１０に記載の編集装置として機能させることを特徴とする，コンピュータプログラム。
【請求項１２】
請求項１１に記載のコンピュータプログラムが記憶されたコンピュータ読み取り可能な記録媒体。
【請求項１３】
映像コンテンツデータを記録媒体に記録する記録装置とネットワークを介して接続される前記記録装置から伝送される前記映像コンテンツデータを編集する編集装置とから成る映像コンテンツ編集支援方法であって：
前記映像コンテンツデータに関連する電子マークデータを前記映像コンテンツデータとともに記録し；
前記電子マークテキストデータはＫｅｙ部とＶａｌｕｅ部とを有しており，前記Ｋｅｙ部には，電子マークテキストデータであることを識別する識別子として定義されている所定のコードが記入され，前記Ｖａｌｕｅ部には，撮影する状況に応じて予め登録されたテキストデータが記入された前記電子マークテキストデータを検索するためにテキストデータを入力し；
前記入力されたテキストデータに該当する前記電子マークテキストデータを画面上に表示し；
前記画面上に表示された検索結果を選択することにより対応する映像コンテンツデータを選択することが可能であることを特徴とする，映像コンテンツ編集支援システム。
【請求項１４】
前記映像コンテンツデータの見出し情報は，前記映像コンテンツデータに構成される映像シーンの見出し情報であることを特徴とする，請求項１３に記載の映像コンテンツ編集支援方法。
【請求項１５】
前記電子マークテキストデータは，前記映像コンテンツデータに含まれる前記映像シーンの特徴，撮影場所，もしくは撮影日時のうち少なくともいずれか一つまたは任意の組合わせをテキストデータにより記述されることを特徴とする，請求項１３に記載の映像コンテンツ編集支援方法。
【請求項１６】
前記電子マークテキストデータは，入力される音声に基づいて生成されることを特徴とする，請求項１３に記載の映像コンテンツ編集支援方法。
【手続補正３】
【補正対象書類名】明細書
【補正対象項目名】０００８
【補正方法】変更
【補正の内容】
【０００８】
上記課題を解決するため，本発明の第１の観点によれば，映像コンテンツデータ映像コンテンツデータを記録媒体に記録する記録装置（又は，撮像装置）と，記録装置から伝送される映像コンテンツデータを編集する編集装置（又は，編集者端末装置）と，記録装置および編集装置を相互に接続するネットワークとから成る映像コンテンツ編集支援システムが提供される。この映像コンテンツ編集支援システムは，記録装置は，映像コンテンツデータに関連する電子マークテキストデータを映像コンテンツデータとともに記録する記録部を備え，上記編集装置は，電子マークテキストデータはＫｅｙ部とＶａｌｕｅ部とを有しており，Ｋｅｙ部には，電子マークテキストデータであることを識別する識別子として定義されている所定のコードが記入され，Ｖａｌｕｅ部には，撮影する状況に応じて予め登録されたテキストデータが記入された電子マークテキストデータを検索するためにテキストデータを入力する検索部と，上記検索部に入力されたテキストデータに該当する電子マークテキストデータを表示する表示部とを備え，上記表示部に表示された検索結果を選択することにより対応する映像コンテンツデータを選択することが可能である。
【手続補正４】
【補正対象書類名】明細書
【補正対象項目名】００３３
【補正方法】変更
【補正の内容】
【００３３】
さらに，上記課題を解決するための本発明の別の観点によれば，映像コンテンツデータを編集する編集装置が提供される。この編集装置は，映像コンテンツデータに関連するデータであって，Ｋｅｙ部とＶａｌｕｅ部とを有しており，上記Ｋｅｙ部には，電子マークテキストデータであることを識別する識別子として定義されている所定のコードが記入され，上記Ｖａｌｕｅ部には，撮影する状況に応じて予め登録されたテキストデータが記入された電子マークテキストデータを検索するためにテキストデータを入力する検索部と，上記検索部に入力されたテキストデータに該当する電子マークテキストデータを表示する表示部とを備え，上記表示部に表示された検索結果を選択することにより対応する映像コンテンツデータを選択することが可能である。
【手続補正５】
【補正対象書類名】明細書
【補正対象項目名】００４３
【補正方法】変更
【補正の内容】
【００４３】
さらに，本発明の別の観点によれば，映像コンテンツデータを記録媒体に記録する記録装置とネットワークを介して接続される記録装置から伝送される映像コンテンツデータを表示する編集装置とから成る映像コンテンツ編集支援方法が提供される。この映像コンテンツ編集支援方法は，映像コンテンツデータに関連する電子マークデータを前記映像コンテンツデータとともに記録し，電子マークテキストデータはＫｅｙ部とＶａｌｕｅ部とを有しており，上記Ｋｅｙ部には，電子マークテキストデータであることを識別する識別子として定義されている所定のコードが記入され，上記Ｖａｌｕｅ部には，撮影する状況に応じて予め登録されたテキストデータが記入された上記電子マークテキストデータを検索するためにテキストデータを入力し；上記入力されたテキストデータに該当する電子マークテキストデータを画面上に表示し；上記画面上に表示された検索結果を選択することにより対応する映像コンテンツデータを選択することが可能であることを特徴としている。